(57)【要約】  【課題】  本発明は、通信管理状態にない送信データのみを送信停止することのできる通信管理装置、通信管理方法、通信管理用プログラム、及び通信システムを提供することを目的とする。  【解決手段】  データ監視部１０８において、アンテナ１１０で受信した後に変復調部１０９で復調したデータを解析する。これにより、自局が管理するネットワークへの参加が許可されていない無線通信装置や、自局での送信権の管理を行っていないデータを送信している無線通信装置を検出する。そして、データ監視部１０８で検出した無線通信装置に対して、強制的にデータの送信動作を停止させる。【選択図】      図４
2008205875.tif 000002
【特許請求の範囲】
【請求項１】
自局の管理するネットワーク内でデータ通信を行う複数の通信装置に対して前記ネットワークへの参加の可否を管理するとともに、前記ネットワークへの参加を許可した前記通信装置が送信するデータについて折衝して管理する通信管理装置において、
前記ネットワーク内で通信されるデータを送受信する送受信部と、
該送受信部で受信したデータに基づいて、前記ネットワーク内において自局の管理外となるデータが存在するか否かを確認する監視部と、
自局の管理外となるデータが存在することを前記監視部で認識したとき、当該管理外となるデータを送信している前記通信装置に対して、当該管理外となるデータに対する送信動作の修正を指示する修正指示パケットを生成し、前記送受信部を介して送信する修正指示パケット通知部と、
を備えることを特徴とする通信管理装置。
【請求項２】
前記監視部において、前記ネットワークへの参加が許可されていない前記通信装置により送信されるデータを、自局の管理外となるデータとすることを特徴とする請求項１に記載の通信管理装置。
【請求項３】
前記監視部において、前記ネットワークへの参加が許可された前記通信装置から送信されるデータのうち、前記ネットワーク内での送信が許可されていないデータを、自局の管理外となるデータとすることを特徴とする請求項１又は請求項２に記載の通信管理装置。
【請求項４】
前記監視部において、前記ネットワークへの参加が許可された前記通信装置との間での折衝が無効とされたデータを、自局の管理外となるデータとすることを特徴とする請求項１〜請求項３のいずれかに記載の通信管理装置。
【請求項５】
前記監視部において、前記ネットワークへの参加が許可された前記通信装置との間で折衝された送信パラメータの範囲外とされる送信パラメータによって送信されているデータを、自局の管理外となるデータとすることを特徴とする請求項１〜請求項４のいずれかに記載の通信管理装置。
【請求項６】
前記送信パラメータが、前記通信装置から送信される際のデータレートの上限値を表す最大データレートであり、
前記監視部において、前記ネットワーク内で前記最大データレートを超えるデータレートで送信されているデータを、自局の管理外となるデータとすることを特徴とする請求項５に記載の通信管理装置。
【請求項７】
前記監視部が、
前記ネットワークで通信されるデータの混雑度を測定するネットワーク混雑度測定部と、
自局の管理下としたデータに対する管理情報に基づいて前記ネットワークで通信されるデータの混雑度を予測するネットワーク混雑度予測部と、
前記ネットワーク混雑度測定部で測定した実混雑度情報と、前記ネットワーク混雑度予測部で予測した予測混雑度情報とを比較して、前記ネットワーク内において自局の管理外となるデータが存在するか否かを判断する判断部と、
該判断部で自局の管理外となるデータが存在すると判断したときに、自局の管理外となるデータの送信を行っている前記通信装置を推定して、推定した当該通信装置を前記修正指示パケット通知部に通知する推定部と、
を備えることを特徴とする請求項１〜請求項６のいずれかに記載の通信管理装置。
【請求項８】
前記推定部において、前記ネットワークへの参加を許可しているが送信するデータについて折衝を行っていない前記通信装置を、自局の管理外となるデータの送信を行っている前記通信装置と推定することを特徴とする請求項７に記載の通信管理装置。
【請求項９】
前記修正指示パケットが、前記監視部で検出された前記管理外となるデータを送信する前記通信装置を対象とするものであって、前記ネットワークから離脱を指示するものであることを特徴とする請求項１〜請求項８のいずれかに記載の通信管理装置。
【請求項１０】
前記修正指示パケットが、前記監視部で検出された前記管理外となるデータを対象とするものであって、その送信の停止のみを指示するものであることを特徴とする請求項１〜請求項８のいずれかに記載の通信管理装置。
【請求項１１】
前記修正指示パケットが、前記監視部で検出された前記管理外となるデータの送信を制限するパラメータを変更させるものであって、前記データの送信を制限させるものであることを特徴とする請求項１〜請求項８のいずれかに記載の通信管理装置。
【請求項１２】
前記修正指示パケットによる前記データの送信の制限が段階的に行われることを特徴とする請求項１１に記載の通信管理装置。
【請求項１３】
前記監視部が、前記送受信部より受信したデータの識別子を解析して前記データを特定し、特定した前記データが自局の管理外となるデータであるか否かを監視するデータ監視部を備えることを特徴とする請求項１〜請求項１２のいずれかに記載の通信管理装置。
【請求項１４】
前記監視部において、前記管理外となるデータであることが確認されて前記修正指示パケットにより送信動作の修正指示が与えられたデータについて、前記修正指示パケットに基づく送信動作の修正が成されていないことを確認したとき、
前記修正指示パケット通知部によって生成された同じ内容の前記修正指示パケットを前記送受信部より再度送信することを特徴とする請求項１〜請求項１３のいずれかに記載の通信管理装置。
【請求項１５】
前記監視部において、前記管理外となるデータであることが確認されて前記修正指示パケットにより送信動作の修正指示が与えられたデータについて、前記修正指示パケットに基づく送信動作の修正が成されていないことを確認したとき、
既に前記修正指示パケットによって送信動作の修正指示を与えた前記通信装置を前記ネットワークから離脱させる修正指示パケットを前記修正指示パケット通知部によって生成し、前記送受信部より送信することを特徴とする請求項１〜請求項１３のいずれかに記載の通信管理装置。
【請求項１６】
前記ネットワーク内の前記通信装置の動作状態を報知するための表示を行う表示部を備え、
前記監視部において、前記管理外となるデータであることが確認されて前記修正指示パケットにより送信動作の修正指示が与えられたデータについて、前記修正指示パケットに基づく送信動作の修正が成されていないことを確認したとき、
前記表示部に、既に前記修正指示パケットによって送信動作の修正指示を与えた前記通信装置が故障していることを示す表示を行うことを特徴とする請求項１〜請求項１５のいずれかに記載の通信管理装置。
【請求項１７】
前記監視部において、前記管理外となるデータであることが確認されて前記修正指示パケットにより送信動作の修正指示が与えられたデータについて、前記修正指示パケットに基づく送信動作の修正が成されていないことを確認したとき、
既に前記修正指示パケットによって送信動作の修正指示を与えた前記通信装置から送信されたデータを前記送受信部によって受信したとき、受信した当該データを全て破棄するデータ破棄部を備えることを特徴とする請求項１〜請求項１６のいずれかに記載の通信管理装置。
【請求項１８】
前記ネットワークに参加する前記通信装置によるアクセス制御方式が、分散制御型のアクセス制御方式であることを特徴とする請求項１〜請求項１７のいずれかに記載の通信管理装置。
【請求項１９】
ネットワーク内でデータ通信を行う複数の通信装置に対して前記ネットワークへの参加の可否を管理するとともに、前記ネットワークへの参加を許可した前記通信装置が送信するデータについて折衝して管理する通信管理方法において、
前記ネットワーク内で通信されるデータを受信する第１ステップと、
受信されたデータに基づいて、前記ネットワーク内において、管理外となるデータが存在するか否かを確認する第２ステップと、
前記管理外となるデータが前記ネットワーク内に存在することを認識したとき、当該管理外となるデータを送信している前記通信装置に対して、当該管理外となるデータに対する送信動作の修正を指示する修正指示パケットを生成して送信する第３ステップと、
を有することを特徴とする通信管理方法。
【請求項２０】
前記第２ステップが、
前記第１ステップで受信したデータの識別子を解析して前記データを特定する第４ステップと、
該第４ステップで特定した前記データが前記管理外となるデータであるか否かを監視する第５ステップと、
を有することを特徴とする請求項１９に記載の通信管理方法。
【請求項２１】
前記第２ステップが、
前記ネットワークで通信されるデータの混雑度を測定する第６ステップと、
前記ネットワークで通信されるデータの混雑度を予測する第７ステップと、
前記第６ステップで測定した実混雑度情報と、前記第７ステップで予測した予測混雑度情報とを比較して、前記ネットワーク内において管理外となるデータが存在するか否かを判断する第８ステップと、
前記第８ステップで管理外となるデータが存在すると判断したときに、当該管理外となるデータの送信を行っている前記通信装置を推定する第９ステップと、
を有し、
前記第３ステップにおいて、前記第９ステップで推定された前記通信装置に対して前記修正指示パケットを送信することを特徴とする請求項１９又は請求項２０に記載の通信管理方法。
【請求項２２】
ネットワーク内でデータ通信を行う複数の通信装置に対して前記ネットワークへの参加の可否を管理するとともに、前記ネットワークへの参加を許可した前記通信装置が送信するデータについて折衝して管理する通信管理用プログラムであって、
請求項１９〜請求項２１のいずれかに記載の通信管理方法による機能動作を実現することを特徴とする通信管理用プログラム。
【請求項２３】
複数の通信装置が参加するネットワークにおいて、前記通信装置の一つが通信管理装置として前記ネットワークに参加する前記通信装置間のデータ通信を管理する通信システムであって、
前記通信管理装置となる通信装置を、請求項１〜請求項１９のいずれかに記載の構成とすることを特徴とする通信システム。
【発明の詳細な説明】
【技術分野】
【０００１】
本発明は、複数の通信端末間において送受信される複数のストリームを管理する通信管理装置、通信管理方法、及び通信管理用プログラムに関する。又、本発明は、この通信管理装置及び通信管理方法によって複数のストリームの送受信が管理される通信システムに関する。
【背景技術】
【０００２】
近年、配線のわずらわしさ、移動自由度の低さなどを改善するため、オフィスや家庭内においてＩＥＥＥ８０２．１１規格で標準化された無線ＬＡＮ（Local Area Network）などの無線伝送技術が広く普及されつつある。この無線ＬＡＮは、通常の有線ＬＡＮを無線に拡張したものであるため、例えば、ＰＣ（Personal Computer）間でのデータファイルの受け渡しやウェブアクセスなどのデータ転送の用途に適している。最近では、ノートＰＣ用の無線ＬＡＮカードや無線ＬＡＮアクセスポイント（Access Point：ＡＰ）などに広く用いられている。
【０００３】
又、最近では動画ストリームなどのリアルタイムデータを品質良く伝送するために、無線ＬＡＮ上で通信品質（Quality of Service：ＱｏＳ）制御を可能とするものが提供されている。このＱｏＳ制御を可能とする無線ＬＡＮ規格として、ＩＥＥＥ８０２．１１ｅ規格や、このＩＥＥＥ８０２．１１ｅ規格を包含する形となるＩＥＥＥ８０２．１１ｎ規格がある。ＩＥＥＥ８０２．１１ｅ規格及びＩＥＥＥ８０２．１１ｎ規格において、ＱｏＳ制御を実現するために、そのアクセス制御方式として、ＥＤＣＡ（Enhanced Distributed Channel Access）、ＨＣＣＡ（Hybrid Coordination Function Controlled Channel Access）、及びそれらを使い分けるＨＥＭＭ（HCCA,EDCA mixed mode）が提供されている。
【０００４】
この各アクセス制御方式において、ＥＤＣＡ方式が分散制御型の方式であり、ＨＣＣＡ方式が中央制御型の方式である。そして、ＥＤＣＡ方式では、各無線通信装置（QoS STAtion：ＱＳＴＡ）がチャネルに対して確率的にアクセス可能であるのに対して、ＨＣＣＡ方式では、各無線通信装置（ＱＳＴＡ）のチャネルに対するアクセスが中央制御局（QoS Access Point：ＱＡＰ）によって管理される。又、ＨＥＭＭ方式は、通常はＨＣＣＡ方式によるチャネルのアクセスを行っているが、データ通信中に専用の通信時間を超えた場合にＥＤＣＡ方式によりチャネルのアクセスを行う方式である。
【０００５】
これらのアクセス制御方式のうちＨＣＣＡ方式を利用した場合、ＱＳＴＡは、データ通信を開始する前に、ＱＡＰとの間で所望の通信品質を指定した折衝（Add Traffic Stream処理：ＡＤＤＴＳ処理）を行う。このとき、ＱＡＰによってデータ通信の許可が成されると、許可されたデータ通信に対してＱｏＳが確保された設定状態（ＡＤＤＴＳ管理状態）となり、ＱＳＴＡは指定した通信品質のデータ通信を行うことができるようになる。
【０００６】
それに対して、ＥＤＣＡ方式においては、送信プライオリティ（優先度）によっては、ＱＡＰを介したＡＤＤＴＳ処理を行うことがある。即ち、データ通信の前に、ＱＳＴＡがＱＡＰとＥＤＣＡ方式を指定したＡＤＤＴＳ処理を行う。そして、ＱＡＰによってデータ通信の許可が成されると、許可されたデータ通信がＡＤＤＴＳ管理状態となり、ＱＳＴＡは指定したＥＤＣＡ方式を用いてデータ通信を行うことができるようになる。このとき、各データ通信のＡＤＤＴＳ管理状態がＱＡＰにおいて管理されるが、ＨＣＣＡ方式と異なり、各データ通信の送信権については各ＱＳＴＡで確率的に獲得される。
【０００７】
このように、ＥＤＣＡ方式では、ＡＤＤＴＳ管理状態を管理する無線通信装置（ＱＡＰ）と送信権を獲得する無線通信装置（ＱＳＴＡ）とが異なる。そのため、ＡＤＤＴＳ処理を行わない、或いは、ＡＤＤＴＳ処理が成功していない状況や、後述するステータスの齟齬が発生する場合においても、ＱＳＴＡが送信権を獲得し、ＡＤＤＴＳ管理外のデータ通信を行えてしまう。このＡＤＤＴＳ処理管理外のデータ通信によるデータが送信されている場合、このデータがＱＡＰにとっては管理外のデータであり、ＱＡＰや他のＱＳＴＡにとってデータ送受信の妨げとなる妨害波として作用することとなる。
【０００８】
ここで、ステータスの齟齬が発生する場合について、簡単に説明する。ＥＤＣＡ方式において、ＩＥＥＥ８０２．１１ｅ規格及びＩＥＥＥ８０２．１１ｎ規格では、ＱＡＰがデータ通信のＡＤＤＴＳ管理状態をＱＳＴＡの合意なしに終了させることができるＤＥＬＴＳ（Delete Traffic Stream）処理を備えている。しかしながら、ＤＥＬＴＳ処理時に伝播路状態が悪く、ＱＡＰからのＤＥＬＴＳフレームがＱＳＴＡで受信されなかった場合、ＱＡＰではＤＥＬＴＳ処理したが、ＱＳＴＡでは依然としてＡＤＤＴＳ管理状態がＱＡＰにより管理されていると認識しているという、ステータスの齟齬が発生することがある。
【０００９】
尚、他のデータ通信が妨害することを防ぐために、ポイントツーマルチポイント光通信システムにおいては、親局側で異常が発生している子局を特定し、該子局に対して強制停止信号を送出するものが提案されている（特許文献１参照）。この技術を無線ＬＡＮに適用したとき、ＱＡＰ側でＱＡＰ管理外のデータ通信を行っているＱＳＴＡを特定し、このＱＳＴＡに対して強制停止信号を送出することとなる。これにより、ＱＡＰ管理外のデータ通信を行っているＱＳＴＡの通信動作を停止することができ、妨害波として働くデータ通信を停止することができる。
【特許文献１】特開２００２−３５９５９６号公報
【発明の開示】
【発明が解決しようとする課題】
【００１０】
しかしながら、特許文献１の技術を適用した場合、ＱＡＰからの強制停止信号を受信したＱＳＴＡは信号の全送信動作を停止させられてしまうこととなる。そのため、データ通信の回復を所望する場合において、他局との間で制御信号を送受信するなどの処理ではなく、電源をリセットするなどの処理でしか回復することができない。そのため、ユーザが改めてＱＳＴＡに対して操作する必要があり、利便性を欠くものとなる。
【００１１】
又、ＱＳＴＡの全送信動作が停止されるため、障害のない正常なデータ通信までも停止させてしまう。よって、例えば、１つのＱＳＴＡがデータ通信Ａ，Ｂを行っているときに、データ通信ＡについてはＡＤＤＴＳ処理に関するステータスの齟齬が生じていたが、データ通信Ｂについては正常に行われている場合であっても、ＱＳＴＡの送信動作が停止されてしまう。これにより、データ通信Ａだけではなくデータ通信Ｂについても、ＱＳＴＡによる送信が停止させられてしまうため、正常なデータ通信Ｂの通信も停止することとなる。
【００１２】
このような問題を鑑みて、本発明は、通信管理状態にない送信データのみを送信停止することのできる通信管理装置、通信管理方法、通信管理用プログラム、及び通信システムを提供することを目的とする。
【課題を解決するための手段】
【００１３】
上記目的を達成するために、本発明の通信管理装置は、自局の管理するネットワーク内でデータ通信を行う複数の通信装置に対して前記ネットワークへの参加の可否を管理するとともに、前記ネットワークへの参加を許可した前記通信装置が送信するデータについて折衝して管理する通信管理装置において、前記ネットワーク内で通信されるデータを送受信する送受信部と、該送受信部で受信したデータに基づいて、前記ネットワーク内において自局の管理外となるデータが存在するか否かを確認する監視部と、自局の管理外となるデータが存在することを前記監視部で認識したとき、当該管理外となるデータを送信している前記通信装置に対して、当該管理外となるデータに対する送信動作の修正を指示する修正指示パケットを生成し、前記送受信部を介して送信する修正指示パケット通知部と、を備えることを特徴とする。
【００１４】
このような通信管理装置が、前記監視部において、前記ネットワークへの参加が許可されていない前記通信装置により送信されるデータを、自局の管理外となるデータとするものとしても構わない。このとき、例えば、ＩＥＥＥ８０２．１１ｅ規格及びＩＥＥＥ８０２．１１ｎ規格において、ＡＳＳＯＣＩＡＴＩＯＮ処理により前記ネットワーク（ＢＳＳ）への参加が許可されていない前記通信装置からのデータを確認したとき、当該データを管理外となるデータとする。
【００１５】
又、前記監視部において、前記ネットワークへの参加が許可された前記通信装置から送信されるデータのうち、前記ネットワーク内での送信が許可されていないデータを、自局の管理外となるデータとするものとしても構わない。このとき、例えば、ＩＥＥＥ８０２．１１ｅ規格及びＩＥＥＥ８０２．１１ｎ規格において、ＡＤＤＴＳ処理による折衝が行われていないデータを確認したとき、当該データを管理外となるデータとする。
【００１６】
又、前記監視部において、前記ネットワークへの参加が許可された前記通信装置との間での折衝が無効とされたデータを、自局の管理外となるデータとするものとしても構わない。このとき、例えば、ＩＥＥＥ８０２．１１ｅ規格及びＩＥＥＥ８０２．１１ｎ規格において、ＤＥＬＴＳ処理によりＡＤＤＴＳ管理状態から外されたデータを確認したとき、当該データを管理外となるデータとする。
【００１７】
又、前記監視部において、前記ネットワークへの参加が許可された前記通信装置との間で折衝された送信パラメータの範囲外とされる送信パラメータによって送信されているデータを、自局の管理外となるデータとするものとしても構わない。このとき、例えば、ＩＥＥＥ８０２．１１ｅ規格及びＩＥＥＥ８０２．１１ｎ規格において、ＡＤＤＴＳ処理で設定された送信パラメータの範囲外で送信がなされたデータを確認したとき、当該データを管理外となるデータとする。そして、前記送信パラメータが、前記通信装置から送信される際のデータレートの上限値を表す最大データレートであり、前記監視部において、前記ネットワーク内で前記最大データレートを超えるデータレートで送信されているデータを、自局の管理外となるデータとしても構わない。
【００１８】
前記監視部が、前記ネットワークで通信されるデータの混雑度を測定するネットワーク混雑度測定部と、自局の管理下としたデータに対する管理情報に基づいて前記ネットワークで通信されるデータの混雑度を予測するネットワーク混雑度予測部と、前記ネットワーク混雑度測定部で測定した実混雑度情報と、前記ネットワーク混雑度予測部で予測した予測混雑度情報とを比較して、前記ネットワーク内において自局の管理外となるデータが存在するか否かを判断する判断部と、該判断部で自局の管理外となるデータが存在すると判断したときに、自局の管理外となるデータの送信を行っている前記通信装置を推定して、推定した当該通信装置を前記修正指示パケット通知部に通知する推定部と、を備えるものとしても構わない。
【００１９】
このとき、前記推定部において、前記ネットワークへの参加を許可しているが送信するデータについて折衝を行っていない前記通信装置を、自局の管理外となるデータの送信を行っている前記通信装置と推定するものとしても構わない。即ち、例えば、ＩＥＥＥ８０２．１１ｅ規格及びＩＥＥＥ８０２．１１ｎ規格において、ＡＳＳＯＣＩＡＴＩＯＮ処理によってネットワークへの参加が許可されているが、ＡＤＤＴＳ処理を行っていない前記通信装置を、自局の管理外となるデータの送信を行っている前記通信装置と推定する。
【００２０】
更に、前記修正指示パケットが、前記監視部で検出された前記管理外となるデータを送信する前記通信装置を対象とするものであって、前記ネットワークから離脱を指示するものとしても構わない。このとき、例えば、ＩＥＥＥ８０２．１１ｅ規格及びＩＥＥＥ８０２．１１ｎ規格において、対象となる前記通信装置に対して、ＤＥＡＵＴＨＥＮＴＩＣＡＴＩＯＮ処理を施す。
【００２１】
又、前記修正指示パケットが、前記監視部で検出された前記管理外となるデータを対象とするものであって、その送信の停止のみを指示するものとしても構わない。このとき、例えば、ＩＥＥＥ８０２．１１ｅ規格及びＩＥＥＥ８０２．１１ｎ規格において、対象となるデータの送信元となる前記通信装置に対して、ＤＥＬＴＳ処理を施す。
【００２２】
又、前記修正指示パケットが、前記監視部で検出された前記管理外となるデータの送信を制限するパラメータを変更させるものであって、前記データの送信を制限させるものとしても構わない。このとき、前記修正指示パケットによる前記データの送信の制限が段階的に行われるものとしても構わない。
【００２３】
更に、前記監視部が、前記送受信部より受信したデータの識別子を解析して前記データを特定し、特定した前記データが自局の管理外となるデータであるか否かを監視するデータ監視部を備えるものとしても構わない。
【００２４】
このとき、前記データ監視部が、前記送受信部より受信したデータの識別子より前記データの送信元となる前記通信装置を確認し、当該通信装置が前記ネットワークへの参加が許可されていないことを確認すると、前記修正指示パケット通知部より、前記ネットワークからの離脱を求める前記修正指示パケットを生成して、前記データ監視部で確認した前記通信装置に前記送受信部より送信する。
【００２５】
又、前記データ監視部が、前記送受信部より受信したデータの識別子より、折衝されていないデータが送信されていることと、当該データの送信元となる前記通信装置と、を確認するものとしても構わないし、前記データ監視部が、前記送受信部より受信したデータの識別子より当該データを送信する通信装置を特定し、特定したデータの送信パラメータが自局で管理している送信パラメータの範囲外であることを確認するものとしても構わない。
【００２６】
更に、前記監視部において、前記管理外となるデータであることが確認されて前記修正指示パケットにより送信動作の修正指示が与えられたデータについて、前記修正指示パケットに基づく送信動作の修正が成されていないことを確認したとき、前記修正指示パケット通知部によって生成された同じ内容の前記修正指示パケットを前記送受信部より再度送信するものとしても構わないし、既に前記修正指示パケットによって送信動作の修正指示を与えた前記通信装置を前記ネットワークから離脱させる修正指示パケットを前記修正指示パケット通知部によって生成して、前記送受信部より送信するものとしても構わない。
【００２７】
又、表示部に、既に前記修正指示パケットによって送信動作の修正指示を与えた前記通信装置が故障していることを示す表示を行うものとしても構わないし、更に、既に前記修正指示パケットによって送信動作の修正指示を与えた前記通信装置から送信されたデータを前記送受信部によって受信したとき、受信した当該データを全て破棄するデータ破棄部を備えるものとしても構わない。
【００２８】
上述の各通信管理装置において、前記ネットワークに参加する前記通信装置によるアクセス制御方式を、分散制御型のアクセス制御方式とするものとしても構わない。
【００２９】
又、本発明の通信システムは、複数の通信装置が参加するネットワークであって、前記通信装置の一つが通信管理装置として前記ネットワークに参加する前記通信装置間のデータ通信を管理する通信システムであって、前記通信管理装置となる通信装置が、上述のいずれかの通信管理装置の構成を備えることを特徴とする。
【００３０】
又、本発明の通信管理方法は、ネットワーク内でデータ通信を行う複数の通信装置に対して前記ネットワークへの参加の可否を設定するとともに、前記ネットワークへの参加を許可した前記通信装置が送信するデータについて折衝して管理する通信管理方法において、前記ネットワーク内で通信されるデータを受信する第１ステップと、受信されたデータに基づいて、前記ネットワーク内において、管理外となるデータが存在するか否かを確認する第２ステップと、前記管理外となるデータが前記ネットワーク内に存在することを認識したとき、当該管理外となるデータを送信している前記通信装置に対して、当該管理外となるデータに対する送信動作の修正を指示する修正指示パケットを生成して送信する第３ステップと、を有することを特徴とする。
【００３１】
このような通信管理方法において、前記第２ステップが、前記第１ステップで受信したデータの識別子を解析して前記データを特定する第４ステップと、該第４ステップで特定した前記データが前記管理外となるデータであるか否かを監視する第５ステップと、
を有するものとしても構わない。
【００３２】
このとき、前記第４ステップにおいて、前記データの識別子より前記データの送信元となる前記通信装置を確認するとともに、前記第５ステップにおいて、前記第４ステップで確認した送信元となる前記通信装置が前記ネットワークへの参加が許可されていないことを判定すると、前記第３ステップにおいて、前記ネットワークからの離脱を求める前記修正指示パケットを生成して、前記第４ステップで確認した送信元となる前記通信装置に送信するものとしても構わない。
【００３３】
又、前記第５ステップにおいて、前記第４ステップで特定した前記データが折衝されていないデータであることを確認すると、前記第３ステップにおいて、前記第４ステップで特定した前記データの送信元となる前記通信装置に対して、前記データの送信を停止することを指示する前記修正指示パケットを生成して送信するものとしても構わない。
【００３４】
又、前記第５ステップにおいて、前記第４ステップで特定した前記データの送信パラメータが、管理している送信パラメータの範囲外であることを確認すると、前記第３ステップにおいて、前記第４ステップで特定した前記データの送信元となる前記通信装置に対して、前記データの送信を停止することを指示する前記修正指示パケットを生成して送信するものとしても構わない。
【００３５】
又、上述の各通信管理方法において、前記第２ステップが、前記ネットワークで通信されるデータの混雑度を測定する第６ステップと、前記ネットワークで通信されるデータの混雑度を予測する第７ステップと、前記第６ステップで測定した実混雑度情報と、前記第７ステップで予測した予測混雑度情報とを比較して、前記ネットワーク内において管理外となるデータが存在するか否かを判断する第８ステップと、前記第８ステップで管理外となるデータが存在すると判断したときに、当該管理外となるデータの送信を行っている前記通信装置を推定する第９ステップと、を有し、前記第３ステップにおいて、前記第９ステップで推定された前記通信装置に対して前記修正指示パケットを送信するものとしても構わない。
【００３６】
このとき、前記第９ステップにおいて、前記ネットワークへの参加を許可しているが送信するデータについて折衝を行っていない前記通信装置を、前記管理外となるデータの送信を行っている前記通信装置と推定するものとしても構わない。
【００３７】
又、本発明の通信管理用プログラムは、ネットワーク内でデータ通信を行う複数の通信装置に対して前記ネットワークへの参加の可否を設定するとともに、前記ネットワークへの参加を許可した前記通信装置が送信するデータについて折衝して管理する通信管理用プログラムであって、上述のいずれかの通信管理方法による機能動作を実現することを特徴とする
【発明の効果】
【００３８】
本発明によると、通信管理装置が管理するネットワーク内において、通信管理装置の管理外とするデータの送信を行っている通信装置に対して、通信管理装置よりデータ送信動作を修正するための指示が成される。これにより、管理外とするデータの送信を、通信管理装置による管理条件に沿った送信動作とすることができ、通信管理装置が管理するネットワーク内で管理されているデータ通信に対する妨げとなるデータ通信を停止させることができる。よって、通信管理装置が管理するネットワーク内で管理されているデータ通信動作を正常に行うことができる。
【００３９】
又、データ送信動作を修正する修正指示パケットにより、ネットワーク内で他のデータ通信に対して妨げとなる管理外のデータの送信動作を修正することができる。よって、修正指示パケットを受けた通信装置が強制停止されることなく、その送信動作が修正されるため、再び、ネットワーク内でデータ送信を行うための要求を通信管理装置に対して行うことができ、その送信動作を復帰させることができる。又、管理外のデータ送信とは別に管理下にあるデータ送信を行っていた通信装置において、この管理下とされるデータ送信を継続して行うことができる。
【発明を実施するための最良の形態】
【００４０】
本発明の実施の形態について、以下に説明する。まず、以下の各実施形態において共通となる各構成及び動作について、説明する。尚、以下において、ＩＥＥＥ８０２．１１ｅ規格及びＩＥＥＥ８０２．１１ｎ規格などによる無線ＬＡＮを利用した無線通信システムを例に挙げて、本発明の実施の形態について説明するが、他の規格による通信システムにおいても適用することは可能である。
【００４１】
（無線通信システムの構成）
以下の各実施形態において共通となる無線通信システムの構成について、図面を参照して説明する。図１は、無線通信システムの構成を示す図である。
【００４２】
図１に示すように、データ通信が可能なネットワークグループとして、ＢＳＳ（Basic Service Set）１が構成される。構成されるＢＳＳ１には、ＢＳＳ１内において通信される各データを管理する１つのＱＡＰ２と、ＱＡＰ２によってデータ通信が許可された複数のＱＳＴＡ３とが、通信に参加している。そして、ＱＳＴＡ３からＱＡＰ２に対してデータ送信を行う通信伝送路２０１を「アップリンク（Uplink）」と呼び、ＱＡＰ２からＱＳＴＡ３に対してデータ送信を行う通信伝送路２０２を「ダウンリンク（Downlink）」と呼び、１つのＱＳＴＡ３から別のＱＳＴＡ３に対してデータ送信を行う通信伝送路２０３を「ダイレクトリンク（Directlink）」と呼ぶ。
【００４３】
（無線通信システムにおけるデータ通信動作）
このような無線通信システムにおけるアップリンク２０１又はダイレクトリンク２０３それぞれにおける処理動作について、図２又は図３を参照して説明する。尚、本発明では範疇外であるため、ダウンリンク２０２を通信伝送路として用いたデータ通信の詳細については、本実施形態においては省略する。又、図２及び図３は、ＡＤＤＴＳ処理が必要な送信プライオリティ（優先度）を用いたＥＤＣＡアクセス制御方式でのデータ通信を行うまでの一部のシーケンスを示す図である。そして、図２が、アップリンク２０１の場合によるシーケンスを示す図であり、図３が、ダイレクトリンク２０３の場合によるシーケンスを示す図である。但し、図２及び図３においては、本発明の各実施形態に係るシーケンスのみを図示している。又、図２では、一例として、送信局となるＱＳＴＡ３がＤＶＤプレーヤーに内蔵されるとともに、受信局となるＱＡＰ２がテレビに内蔵される形態が示してある。更に、図３では、一例として、送信局となるＱＳＴＡ３がＤＶＤプレーヤーに内蔵されるとともに、受信局となるＱＳＴＡ３がテレビに内蔵される形態が示してある。
【００４４】
図２及び図３に示すように、アップリンク２０１及びダイレクトリンク２０３それぞれによって、ＡＤＤＴＳ処理が必要な送信プライオリティ（優先度）を用いたＥＤＣＡアクセス制御方式でのデータ通信を行うためには、まず、データを送信するＱＳＴＡ３がＱＡＰ２の管理するＢＳＳ１に参加することが認証される必要がある（ＡＳＳＯＣＩＡＴＩＯＮ処理）。そして、ＱＳＴＡ３が送信するデータ（ストリーム）をＱＡＰ２のＡＤＤＴＳ管理下におくための処理を行う必要がある（ＡＤＤＴＳ処理）。尚、ＡＤＤＴＳ処理を行うデータについては、例えば、１つの動画コンテンツや１つのデータファイルのように、１回以上の複数回の送信動作で通信されるデータである。
【００４５】
そして、後述するＡＳＳＯＣＩＡＴＩＯＮ処理及びＡＤＤＴＳ処理それぞれが成されると、ＡＤＤＴＳ管理下にあるデータ（ストリーム）を送信するＱＳＴＡ３が、ＥＤＣＡアクセス制御方式に従って、チャネルが空きとなるまで待機し、空きチャネルを検知すると送信権を獲得して、データ（ストリーム）の送信を開始する。即ち、アップリンク２０１伝送による図２の例では、送信局となるＱＳＴＡ３が送信権を獲得すると、ＡＤＤＴＳ管理下のデータとなるＤＶＤプレーヤーの動画ストリームを、受信局となるＱＡＰ２に送信する。そして、受信局となるＱＡＰ２を備えるテレビにおいて、送信局となるＱＳＴＡ３を備えるＤＶＤプレーヤーの動画ストリームによる映像及び音声が再生出力される。
【００４６】
又、ダイレクトリンク２０３伝送による図３の例では、送信局となるＱＳＴＡ３が送信権を獲得すると、ＡＤＤＴＳ管理下のデータとなるＤＶＤプレーヤーの動画ストリームを、受信局となるＱＳＴＡ３に送信する。そして、受信局となるＱＳＴＡ３を備えるテレビにおいて、送信局となるＱＳＴＡ３を備えるＤＶＤプレーヤーの動画ストリームによる映像及び音声が再生出力される。
【００４７】
「ＡＳＳＯＣＩＡＴＩＯＮ処理」
以下、ＡＳＳＯＣＩＡＴＩＯＮ処理について、簡単に説明する。図２及び図３に示すように、ＱＳＴＡ３がＱＡＰ２の形成するＢＳＳ１に参加するとき、ＱＳＴＡ３内部において、上位層（ユーザ層やアプリケーション層など）によってＢＳＳ１への参加要求の指示がなされると、ＱＳＴＡ３からＱＡＰ２に対するＡＳＳＯＣＩＡＴＩＯＮ処理が開始する。このとき、まず、ＱＳＴＡ３からＱＡＰ２に対してＡＳＳＯＣＩＡＴＩＯＮリクエスト・フレームが送信されることで、このＡＳＳＯＣＩＡＴＩＯＮリクエスト・フレームを受信したＱＡＰ２が、ＢＳＳ１への参加要求を行っているＱＳＴＡ３を確認する。
【００４８】
そして、ＢＳＳ１への参加要求しているＱＳＴＡ３に対して参加の許可をＱＡＰ２が与えるとき、ＱＡＰ２からＱＳＴＡ３に対してＢＳＳ１への参加の許可の結果を含むＡＳＳＯＣＩＡＴＩＯＮレスポンス・フレームが送信される。ＱＳＴＡ３は、ＱＡＰ２から送信されるＡＳＳＯＣＩＡＴＩＯＮレスポンス・フレームを受信すると、ＢＳＳ１への参加が許可されたことを認識する。又、ＱＡＰ２では、ＱＳＴＡ３のＭＡＣアドレスなどを管理することで、ＢＳＳ１へ参加許可したＱＳＴＡ３の管理を行う。
【００４９】
「ＡＤＤＴＳ処理」
以下、ＡＤＤＴＳ処理について、簡単に説明する。ＱＳＴＡ３がデータ（ストリーム）の送信時にＡＤＤＴＳ処理が必要な送信プライオリティを用いる場合、ＱＳＴＡ３内部において、送信するデータをＱＡＰ２でＡＤＤＴＳ管理状態とするための指示が、上位層（ユーザ層やアプリケーション層など）によってなされると、ＱＳＴＡ３からＱＡＰ２に対するＡＤＤＴＳ処理が開始される。このＡＤＤＴＳ処理は、送信されるデータ（ストリーム）毎に行う必要がある。このとき、まず、ＱＳＴＡ３からＱＡＰ２に対してＡＤＤＴＳリクエスト・フレームが送信されることで、ＱＡＰ２において、ＡＤＤＴＳ管理状態が要求されるデータ及びこのデータを送信するＱＳＴＡ３を確認する。
【００５０】
そして、ＱＡＰ２において、ＱＳＴＡ３が送信要求したデータに対してＡＤＤＴＳ管理状態とすることを許可した場合、ＡＤＤＴＳ要求の許可（ＡＤＤＴＳ管理状態への許可）の結果を含むＡＤＤＴＳレスポンス・フレームをＱＳＴＡ３に送信する。ＱＳＴＡ３は、ＱＡＰ２から送信されるＡＤＤＴＳレスポンス・フレームを受信すると、送信するデータがＱＡＰ２によりＡＤＤＴＳ管理状態とされたことを認識する。又、ＱＡＰ２では、ＡＤＤＴＳ管理状態とするデータに関する各種情報を管理する。具体的には、送信するデータのＴＩＤ（Traffic IDentifier）や、通信伝送路（Link）や、ＡＤＤＴＳ処理において折衝した通信品質に関連する情報（例えば、「アクセス制御方式」「フレームのサイズの範囲」「許容遅延時間」「平均データレート」「最大データレート」）などを管理する。
【００５１】
このようにして送信するデータがＡＤＤＴＳ管理状態となったことを、送信局となるＱＳＴＡ３が確認すると、図２の例では、受信局となるＱＡＰ２へのデータ送信、図３の例では、受信局となるＱＳＴＡ３へのデータ送信処理がそれぞれ開始される。即ち、ＥＤＣＡアクセス制御方式に従って、送信局となるＱＳＴＡ３が空きチャネルを検出して送信権を獲得する度に、図２の例では、受信局となるＱＡＰ２に対して、又、図３の例では、受信局となるＱＳＴＡ３に対して、ＡＤＤＴＳ管理状態となっているデータを折衝されたフレームのサイズの範囲内で送信する。
【００５２】
このように、ＡＤＤＴＳ処理を必要とする送信プライオリティ（優先度）を用いるＥＤＣＡ方式の場合、ＡＤＤＴＳ処理がＱＡＰ２によって許可され、ＱｏＳが確保された設定状態（ＡＤＤＴＳ管理状態）となった後に、ＱＳＴＡ３が送信権の獲得処理を行なうことができる。そして、ＥＤＣＡ方式では、ＱＳＴＡ３は毎データ送信時に、チャネルの空きを検出することでデータ送信権の獲得処理を行い、送信権を獲得する必要がある。尚、ＡＤＤＴＳ処理を必要としない送信プライオリティを用いるＥＤＣＡ方式の場合、ＱＳＴＡ３は、ＡＳＳＯＣＩＡＴＩＯＮ処理により認証された後であれば、ＡＤＤＴＳ処理を行う必要はなく、毎データ送信時にデータ送信権の獲得処理を行い、送信権を獲得すればデータを送信する。
【００５３】
又、送信プライオリティについては、ＩＥＥＥ８０２．１１ｅ規格及びＩＥＥＥ８０２．１１ｎ規格では、「０」〜「７」の８段階に規定されている。そして、送信プライオリティに応じて、空チャンネル検出までのＱＳＴＡ３の待機時間が設定される。即ち、送信プライオリティが高いものほど、待機時間が短くなるように設定される。例えば、動画ストリームなどのようにリアルタイムデータとなる場合、高い優先プライオリティが求められ、その待機時間を短くするように設定する。
【００５４】
尚、上述において、図２のアップリンク２０１の場合、又は、図３のダイレクトリンク２０３の場合に、無線通信装置であるＱＡＰ２やＱＳＴＡ３がＤＶＤプレーヤーやテレビに内蔵されている例を示したが、これに限らず、種々のＡＶ再生装置、ＡＶ記録装置、ＡＶ表示装置にＱＡＰ２やＱＳＴＡ３が内蔵されるものでも適用可能である。又、ＰＣの拡張ボードにＱＡＰ２やＱＳＴＡ３となる機能ブロックを搭載させるものとしても構わないし、ＱＡＰ２やＱＳＴＡ３の機能をもつ無線通信装置が有線ケーブルを介して種々のＡＶ再生装置、ＡＶ記録装置、ＡＶ表示装置に接続されるものとしても構わない。又、このＱＡＰ２やＱＳＴＡ３と各ＡＶ装置との関係については、後述の各実施形態においても適用可能である。
【００５５】
このようにしてＢＳＳ１に参加しているＱＳＴＡ３がアップリンク２０１又はダイレクトリンク２０３によるデータ通信を行っているとき、ＡＤＤＴＳ管理状態のデータをＡＤＤＴＳ管理状態から外す場合は、ＱＡＰ２によってＤＥＬＴＳ処理が成される。又、ＱＡＰ２によって管理されるＢＳＳ１に参加しているＱＳＴＡ３の参加を取り消す場合は、ＱＡＰ２によるＤＥＡＵＴＨＥＮＴＩＣＡＴＩＯＮ処理が成される。このＤＥＬＴＳ処理及びＤＥＡＵＴＨＥＮＴＩＣＡＴＩＯＮ処理について、以下に簡単に説明する。
【００５６】
「ＤＥＡＵＴＨＥＮＴＩＣＡＴＩＯＮ処理」
まず、ＤＥＡＵＴＨＥＮＴＩＣＡＴＩＯＮ処理について、簡単に説明する。ＤＥＡＵＴＨＥＮＴＩＣＡＴＩＯＮ処理は、ＱＡＰ２の形成するＢＳＳ１に参加しているＱＳＴＡ３を離脱させるための処理である。このとき、ＱＡＰ２では、離脱させるＱＳＴＡ３に係るＢＳＳ１への参加状態（ＡＳＳＯＣＩＡＴＩＯＮ状態）に関する管理情報を削除する。そして、離脱させるＱＳＴＡ３に対して、離脱させる理由を含めたＤＥＡＵＴＨＥＮＴＩＣＡＴＩＯＮフレームを送信する。このＤＥＡＵＴＨＥＮＴＩＣＡＴＩＯＮフレームを受信したＱＳＴＡ３が、ＢＳＳ１からの離脱が指示されていることを確認し、ＢＳＳ１から離脱する。
【００５７】
「ＤＥＬＴＳ処理」
次に、ＤＥＬＴＳ処理について、簡単に説明する。ＤＥＬＴＳ処理は、ＡＤＤＴＳ処理によりＡＤＤＴＳ管理状態とすることがＱＡＰ２により許可されたデータに対して、ＡＤＤＴＳ管理状態の許可を取り消すための処理である。このとき、ＱＡＰ２ではＡＤＤＴＳ管理状態を解除するデータに係る各種情報（ＴＩＤ（Traffic IDentifier）や、通信伝送路（Link）や、ＡＤＤＴＳ処理において折衝した通信品質に関連する情報など）を削除する。そして、ＡＤＤＴＳ管理情報を解除するデータを送信するＱＳＴＡ３に対して、解除させる理由を含めたＤＥＬＴＳフレームを送信する。このＤＥＬＴＳフレームを受信したＱＳＴＡ３が、ＡＤＤＴＳ管理状態が解除されるデータを確認し、解除されるデータの送信を停止させる。
【００５８】
又、ＱＳＴＡ３が、受信したＤＥＬＴＳフレームに対するＡＣＫフレームを送信するため、ＱＡＰ２では、このＡＣＫフレームの受信によりＤＥＬＴＳ処理が成功したことを確認する。逆に、ＱＡＰ２は、ＱＰＳＫ３からのＡＣＫフレームが受信されない場合は、ＤＥＬＴＳ処理が失敗したものと認識する。尚、ＩＥＥＥ８０２．１１ｅ規格及びＩＥＥＥ８０２．１１ｎ規格では、ＤＥＬＴＳ処理のタイムアウトが定められていないため、ＤＥＬＴＳフレームの再送回数が上限に達したときに、ＱＡＰ２内部のＭＡＣ（Media Access Control）層では失敗となる。
【００５９】
尚、ＱＡＰ２内部において、ＭＡＣ層での通信接続の失敗を受けて、その上位層によって再度ＤＥＬＴＳ処理を繰り返し行うことが考えられる。しかしながら、ＱＳＴＡ３の電源がＯＦＦとされ、ＱＡＰ２が管理するＢＳＳ１内より不在になったときなどを考慮すると、実装上、ＤＥＬＴＳ処理を行う時間の制限（タイムアウト）やＤＥＬＴＳ処理を行う回数の制限を行うことが好ましい。このような時間や回数の制限を設定する場合、ＱＡＰ２では、制限値に達したことを確認すると、ＤＥＬＴＳ処理が対象としているＡＤＤＴＳ管理状態とされているデータの各種情報を、後述するメモリ１０２の管理テーブルの記憶より削除することとなる。
【００６０】
上述のような構成及び処理動作が共通となる無線通信システムの各実施形態について、以下に説明する。以下の各実施形態では、本発明において特徴となるＱＡＰの構成及び動作を中心に説明する。
【００６１】
＜第１の実施形態＞
本発明の第１の実施形態について、図面を参照して説明する。図４は、本実施形態の無線通信システムにおけるＱＡＰとして動作する通信管理装置の内部構成を示すブロック図である。
【００６２】
本実施形態の無線通信システムにおいて、ＱＡＰ２として動作する通信管理装置である無線通信装置１００は、図４に示すように、装置全体を制御するＣＰＵ（Central Processing Unit）１０１と、各種プログラムなどを備えるとともにＣＰＵ１０１が直接的にアクセスすることができる主記憶装置として働くメモリ１０２と、外部の他の無線通信装置に送信するデータを一時的に記憶する送信データバッファ１０３と、外部の他の無線通信装置から受信したデータを一時的に記憶する受信データバッファ１０４と、ＩＥＥＥ８０２．１１ｅ規格及びＩＥＥＥ８０２．１１ｎ規格における制御処理を行う無線通信制御部１０５と、他の無線通信装置が送信するデータを監視するデータ監視部１０８と、他の無線通信装置に送信するデータを変調するとともに他の無線通信装置から送信されたデータを復調する変復調部１０９と、データの送受信を行うアンテナ１１０と、動作状態などを表示して外部に報知する表示部１１１と、各ブロック間のデータのやりとりを行うシステムバス１１２と、を備えている。
【００６３】
このように構成される無線通信装置１００において、システムバス１１２が設けられることによって、ＣＰＵ１０１及びメモリ１０２と、無線通信制御部１０５、データ監視部１０８、及び変復調部１０９などの各ブロックとの間におけるデータのやりとりが行われる。そして、メモリ１０２内には、ＡＳＳＯＣＩＡＴＩＯＮ処理によりＢＳＳ１内への参加を許可したＱＳＴＡ３に関する管理情報と、ＡＤＤＴＳ処理によりＡＤＤＴＳ管理状態のデータに関する管理情報とを記録した管理テーブルが記録される。
【００６４】
又、アンテナ１１０に接続された変復調部１０９と送信データバッファ１０３及び受信データバッファ１０４との間に、無線通信制御部１０５が設けられる。これにより、アンテナ１１０で受信して変復調部１０９で復調されたデータが受信データバッファ１０４に与えられ、逆に、送信データバッファ１０３に外部から与えられたデータが変復調部１０９で変調された後、アンテナ１１０より送信される。この無線通信制御部１０５は、受信した不要なデータを破棄するパケット破棄部１０６と、ＤＥＡＵＴＨＥＮＴＩＣＡＴＩＯＮ処理又はＤＥＬＴＳ処理を行うときの各フレームデータを生成する修正指示パケット通知部１０７と、を備える。尚、無線通信制御部１０５内には、不図示であるが、ＡＳＳＯＣＩＡＴＩＯＮ処理やＡＤＤＴＳ処理を行うときの各フレームデータを生成するブロックも備えられている。
【００６５】
そして、無線通信装置１００において、ＣＰＵ１０１が、システムバッファ１１２を介してメモリ１０２にアクセスしながら、データの入出力や命令の実行などの処理を行うことで、無線通信制御部１０５の各動作の制御や、データ監視部１０８での監視状態の確認などを行うことができる。このＣＰＵ１０１の制御動作により、後述する図８に示すフローチャートに従った動作を無線通信装置１００が行うことができる。
【００６６】
（送受信動作）
ダウンリンク２０２によるデータの送信を行うとき、ＣＰＵ１０１によって、外部から入力されるデータの送信動作を行うように無線通信制御部１０５が指示される。このとき、外部から入力されるデータが送信データバッファ１０３に与えられて、一時的に格納される。そして、無線通信制御部１０５によって送信データバッファ１０３に格納されているデータが読み出されると、ＩＥＥＥ８０２．１１ｅ規格又はＩＥＥＥ８０２．１１ｎ規格によるフレームフォーマットのデータに符号化されて、変復調部１０９に与えられる。無線通信制御部１０５で符号化されたデータが変復調部１０９で変調された後、アンテナ１１０より、送信先（受信局）となるＱＳＴＡ３に送信する。尚、ＩＥＥＥ８０２．１１ｅ規格又はＩＥＥＥ８０２．１１ｎ規格によるフレームフォーマットについては、後述する。
【００６７】
又、自局の送信期間以外の期間では、チャネルの空きの確認や、アップリンク２０１によるデータの受信や、ＢＳＳ１内で通信されているデータの監視を行うために、ＣＰＵ１０１によって、ＱＳＴＡ３となる他の無線通信装置から送信されるデータの受信動作を行うように指示される。このとき、アンテナ１１０で受信したデータが変復調部１０９で復調された後、無線通信制御部１０５に与えられると、ＩＥＥＥ８０２．１１ｅ規格又はＩＥＥＥ８０２．１１ｎ規格に基づいて、データの内容が解析されるとともに、復号化される。
【００６８】
そして、伝送路としてアップリンク２０１が用いられているデータを受信した場合、例えば、図２の場合のように、無線通信装置１００がテレビに接続されて構成されるとともに、無線通信制御部１０５で復号化されたデータが外部のテレビに与えられる映像データや音声データであるとき、受信データバッファ１０４に与えられて一時的に格納された後、外部に送信される。又、復号化されたデータがＡＤＤＴＳリクエスト・フレームやＡＳＳＯＣＩＡＴＩＯＮリクエスト・フレームである場合は、ＡＤＤＴＳ処理又はＡＳＳＯＣＩＡＴＩＯＮ処理を行うとともに、ＡＤＤＴＳレスポンス・フレームやＡＳＳＯＣＩＡＴＩＯＮレスポンス・フレームを生成して、変復調部１０９で変調した後、アンテナ１１０より送信する。尚、このアップリンク２０１により送信されるデータは、データ監視部１０８に与えられることにより、後述する監視動作が成される。
【００６９】
更に、伝送路としてダイレクトリンク２０３が用いられているデータを受信した場合、アップリンク２０１により受信されるデータと同様、後述するデータ監視部１０８によるデータの監視が行われる。そして、無線通信制御部１０５では、変復調部１０９で復調されたデータがパケット破棄部１０６に与えられることで、ダイレクトリンク２０３により送信されたデータが破棄される。
【００７０】
（監視部の動作）
データ監視部１０８では、自局の送信期間以外の期間にアンテナ１１０で受信した後に変復調部１０９で復調した各データを解析することで、各データがＡＳＳＯＣＩＡＴＩＯＮ処理により自局の形成するＢＳＳ１内に参加することを許可したＱＳＴＡ３からのデータであるか否か、又は、ＡＤＤＴＳ管理状態とすることを許可したデータであるか否かの監視が行われる。このとき、メモリ１０２に記憶されている管理テーブルがシステムバス１１２を介してデータ監視部１０８によって読み出され、この管理テーブルを参照することで、受信したデータが上記の許可を得られていない許可外のデータであるか否かが確認される。そして、許可外のデータであることが確認されると、無線通信制御部１０５内の修正指示パケット通知部１０７に対して、非許可のデータを受信したことを通知する。
【００７１】
又、データ監視部１０８では、変復調部１０９で復調したデータを解析し、このデータを送信したＱＳＴＡ３を確認することで、受信したデータを破棄するデータであるか否かをも監視する。そして、破棄するデータを受信したことを確認すると、無線通信制御部１０５内のパケット破棄部１０６に対して、破棄するデータを受信したことを通知する。これにより、特定のＱＳＴＡ３からの受信データがパケット破棄部１０６で破棄されることとなる。
【００７２】
更に、非許可のデータ又は破棄するデータを受信したことをデータ監視部１０８で確認したとき、その内容を表示部１１１にも通知する。これにより、表示部１１１がデータ監視部１０８からの通知内容を表示する。このとき、データ監視部１０８から非許可のデータの受信報告を受けた場合、ユーザに対して非許可のデータを送信したＱＳＴＡ３が故障している旨の表示を行う。
【００７３】
（データのフレームフォーマット）
次に、ＱＳＴＡ３との間で送受信されるデータのフレームフォーマットについて、図５を参照して説明する。図５は、ＩＥＥＥ８０２．１１ｅ規格及びＩＥＥＥ８０２．１１ｎ規格でのフレームフォーマットを示す図である。ＱＡＰ２となる無線通信装置１００とＱＳＴＡ３との間で送受信されるデータは、図５に示すように、フレームの種類を識別するためのＦｒａｍｅ＿Ｃｏｎｔｒｏｌフィールド５０１と、送信先のＭＡＣアドレスを示すＡｄｄｒｅｓｓ１フィールド５０２と、送信元のＭＡＣアドレスを示すＡｄｄｒｅｓｓ２フィールド５０３と、フレームのＴＩＤを含むデータ送信時の各種制御情報を示すＱｏＳ＿Ｃｏｎｔｒｏｌフィールド５０４と、フレーム本体となるＦｒａｍｅ＿Ｂｏｄｙフィールド５０５を備える。
【００７４】
尚、これらのフィールド以外に、Ｄｕｒａｔｉｏｎ／ＩＤフィールド、Ｓｅｑｕｅｎｃｅ＿Ｃｏｎｔｒｏｌフィールド、ＨＴ＿Ｃｏｎｔｒｏｌフィールド、及び、ＦＣＳ（Ｆｒａｍｅ＿Ｃｈｅｃｋ＿Ｓｅｑｕｅｎｃｅ）フィールドなどを備えるが、データ監視部１０８での監視対象ではないので、その詳細な説明については省略する。
【００７５】
このようなフレームフォーマットによるデータにおいて、Ｆｒａｍｅ＿Ｃｏｎｔｒｏｌフィールド５０１には、その一部として、Ｔｙｐｅ５１１とＳｕｂｔｙｐｅ５１２のサブフィールドを備える。そして、Ｔｙｐｅ５１１とＳｕｂｔｙｐｅ５１２の内容により、フレームの種類が示される。即ち、Ｓｕｂｔｙｐｅ５１２の内容により、ＡＣＫフレームであるか、又は、ＰＯＬＬフレームであるか、又は、ストリームなどのデータであるかを確認することができる。
【００７６】
尚、Ｆｒａｍｅ＿Ｃｏｎｔｒｏｌフィールド５０１は、上述のサブフィールド以外に、Ｐｒｏｔｏｃｏｌ＿Ｖｅｒｓｉｏｎ、Ｔｏ＿ＤＳ、Ｆｒｏｍ＿ＤＳ、Ｍｏｒｅ＿Ｆｒａｇｍｅｎｔｓ、Ｒｅｔｒｙ、Ｐｏｗｅｒ＿Ｍａｎａｇｅｍｅｎｔ、Ｍｏｒｅ＿Ｄａｔａ、ＷＥＰ、Ｏｒｄｅｒなどのサブフィールドを備えるが、データ監視部１０８での監視対象ではないので、その詳細な説明については省略する。
【００７７】
又、ＱｏＳ＿Ｃｏｎｔｒｏｌフィールド５０４には、その一部として、ＢＳＳ１内で通信されているデータを識別するためのＴＩＤ５４１のサブフィールドを備える。尚、ＱＳＴＡ３がデータを送信する場合、ＱｏＳ＿Ｃｏｎｔｒｏｌフィールド５０４は、上述のサブフィールド以外に、０か１の値を持つサブフィールド、Ａｃｋ＿Ｐｏｌｉｃｙ、Ｒｅｓｅｒｖｅｄ、ＴＸＯＰ＿Ｄｕｒａｔｉｏｎ＿Ｒｅｑｕｅｓｔｅｄ／Ｑｕｅｕｅ＿Ｓｉｚｅなどのサブフィールドを備えるが、データ監視部１０８での監視対象ではないので、その詳細な説明については省略する。
【００７８】
（監視対象フィールド）
図５のようにフレームフィールドが設定されるデータがデータ監視部１０８に与えられると、監視対象となるフィールド（監視対象フィールド）が解析されて、監視対象フィールドの内容により、ＱＡＰ２として動作する無線通信装置１００が管理するＢＳＳ１内において、通信が正常に行われているデータであるか否かが確認される。
【００７９】
即ち、図５に示すフレームフィールドにおいて、Ｆｒａｍｅ＿Ｃｏｎｔｒｏｌフィールド５０１内の一部のサブフィールドＴｙｐｅ５１１及びＳｕｂｔｙｐｅ５１２と、Ａｄｄｒｅｓｓ１フィールド５０２と、Ａｄｄｒｅｓｓ２フィールド５０３と、ＱｏＳ＿Ｃｏｎｔｒｏｌフィールド５０４内の一部のサブフィールドＴＩＤ５４１とを、データ監視部１０８による監視対象としている。よって、データ監視部１０８では、変復調部１０９で復調されたデータが与えられると、上述の監視対象とするフィールド及びサブフィールドそれぞれが確認される。
【００８０】
このとき、Ａｄｄｒｅｓｓ１フィールド５０２により送信先のＭＡＣアドレスを確認するとともに、Ａｄｄｒｅｓｓ２フィールド５０３により送信元のＭＡＣアドレスを確認する。これにより、受信したデータの送信元となるＱＳＴＡ３を確認するとともに、送信先となるＱＳＴＡ３又はＱＡＰ２（自局）が確認される。このとき、送信先が送信元と別のＱＳＴＡ３である場合、ダイレクトリンク２０３により伝送されるデータであることが確認され、又、送信先が自局となるＱＡＰ２である場合、アップリンク２０１により伝送されるデータであることが確認される。
【００８１】
又、Ｆｒａｍｅ＿Ｃｏｎｔｒｏｌフィールド５０１内のＴｙｐｅ５１１及びＳｕｂｔｙｐｅ５１２を確認することで、ストリームなどのデータ（ＱｏＳ＿Ｄａｔａ）であることが確認される。即ち、Ｔｙｐｅ５１１及びＳｕｂｔｙｐｅ５１２により組み合わされるデータ形式が、「（ｂ３、ｂ２）、（ｂ７、ｂ６、ｂ５、ｂ４）」となるとき、Ｔｙｐｅ５１１及びＳｕｂｔｙｐｅ５１２が「（１、０）、（１、０、０、０）」が検出されると、データ（ＱｏＳ＿Ｄａｔａ）であることが確認される。
【００８２】
更に、ＱｏＳ＿Ｃｏｎｔｒｏｌフィールド５０４内のＴＩＤ５４１を確認することで、変復調部１０９で復調されたデータが、Ａｄｄｒｅｓｓ２フィールド５０３で確認されたＱＳＴＡ３より送信されるいずれのデータであるのかを特定することができる。このＴＩＤ５４１は、４ビットの符号で構成される。そして、各ＱＳＴＡ３において、８〜１５の８種類のＴＩＤ５４１が、各データに割り当てられる。よって、メモリ１０２内の管理テーブルを参照するとき、上述のＡｄｄｒｅｓｓ２フィールドより送信元となるＱＳＴＡ３を特定するとともにＴＩＤ５４１を確認することで、いずれのデータであるか特定することができる。
【００８３】
尚、本明細書では、ＩＥＥＥ８０２．１１ｅ規格及びＩＥＥＥ８０２．１１ｎ規格による無線通信システムを例にあげているため、図５に示すフレームフォーマットによるデータが送受信されるものとしたが、データ監視部１０８でのデータ監視が可能であれば異なるフレームフォーマットとしても構わない。即ち、図６に示すように、送信元を示す送信元フィールド６０１（図５のＡｄｄｒｅｓｓ２フィールド５０３に相当）と、データの種類を示す種類判別用フィールド６０２（図５のサブフィールドであるＴｙｐｅ５１１及びＳｕｂｔｙｐｅ５１２に相当する）と、データ毎の識別を行うためのデータ識別用フィールド６０３（図５のＡｄｄｒｅｓｓ１フィールド５０２、Ａｄｄｒｅｓｓ２フィールド５０３、及びサブフィールドＴＩＤ５４１に相当）と、データ本体となる本体フィールド６０４（図５のＦｒａｍｅ＿Ｂｏｄｙフィールド５０５に相当）と、を備えるものであればよい。
【００８４】
（管理テーブル）
データ監視部１０８において参照されるメモリ１０２内の管理テーブルの概要について、図７に示す例を参照して説明する。尚、図７において、説明の便宜上、管理テーブルに記憶される項目として、データ監視部１０８において参照する項目のみを示すものとするが、ＡＤＤＴＳ管理状態となるデータに関する他の項目について記憶するものとしても構わない。
【００８５】
図７に示すように、メモリ１０２内の管理テーブルには、ＡＳＳＯＣＩＡＴＩＯＮ処理によってＢＳＳ１内に参加することが認証されたＱＳＴＡ３が記憶されるとともに、ＢＳＳ１への参加が許可されたＱＳＴＡ３毎に、その送信するデータが管理されている。よって、例えば、ＱＡＰ２となる無線通信装置１００により管理されているＢＳＳ１に、ＱＳＴＡ３ａ〜３ｃが参加することが許可されている場合、メモリ１０２内の管理テーブルにＱＳＴＡ３ａ〜３ｃのＭＡＣアドレスなど各通信装置を特定するコードが記憶されることで、ＢＳＳ１内に参加が許可されているＱＳＴＡ３が管理される。尚、図７においては、単にＱＳＴＡ３ａ〜３ｃと表記するが、実際には、ＱＳＴＡ３ａ〜３ｃを識別するためのコードが記憶されている。
【００８６】
そして、ＢＳＳ１への参加が許可されているＱＳＴＡ３それぞれが送信するデータについて、ＡＤＤＴＳ処理によりＡＤＤＴＳ管理状態とされているデータに関する情報が、図７の管理テーブルで管理される。即ち、例えば、ＱＳＴＡ３ａについて、送信するデータｄａ〜ｄｅのうち、データｄａ〜ｄｃがＡＤＤＴＳ管理状態とされている場合、図７に示すように、管理テーブルにでは、データｄａ〜ｄｃに関する情報が記録される。同様に、図７に示す管理テーブルでは、ＱＳＴＡ３ｂについては、ＡＤＤＴＳ管理状態とされているデータｄｆ，ｄｇに関する情報が、又、ＱＳＴＡ３ｂについては、ＡＤＤＴＳ管理状態とされているデータｄｊ〜ｄｍに関する情報が、それぞれ記録される。
【００８７】
そして、この管理テーブルに記録される情報として、各データのＴＩＤ、送信先となる通信装置のＭＡＣアドレス、通信に使用する伝送路（アップリンク２０１又はダイレクトリンク２０３）、データ送信権の獲得を行う際の待機時間、送信間隔時間（ＩＦＳ：Inter Frame Spacing）、送信プライオリティ、１回の送信で送信可能な時間の長さ、許容遅延時間、平均データレート、最大データレートなどが記憶される。尚、図７においては、ＢＳＳ１への参加が許可されたＱＳＴＡ３ａ〜３ｃが送信するＡＤＤＴＳ管理状態とされるデータのみを表記しているが、メモリ１０２内の管理テーブルにおいて、各データに関する各情報が共に記録されている。
【００８８】
（ＢＳＳ内のデータ監視動作）
更に、ＱＡＰ２として動作する無線通信装置１００が管理するＢＳＳ１内で通信されているデータの監視動作について、図８のフローチャートを参照して説明する。即ち、以下では、アップリンク２０１及びダイレクトリンク２０３を用いたデータ通信において、ＱＡＰ２として動作する無線通信装置１００が、ＡＳＳＯＣＩＡＴＩＯＮ処理又はＡＤＤＴＳ処理による情報管理が成されていないデータ通信の監視を行う。このときの無線通信装置１００の動作の詳細について、説明する。
【００８９】
ＱＡＰ２として動作する無線通信装置１００は、図８に示すように、自局が管理するＢＳＳ１が形成された状態となると、ＢＳＳ１内で伝送されるデータの監視動作が開始される（ＳＴＥＰ８０１）。その後、自局の送信権が取得されていない期間（待機時間）において、他の無線通信装置からデータが送信されたか否かが確認される（ＳＴＥＰ８０２）。即ち、ＱＳＴＡ３として働く他の無線通信装置からの送信されるデータをアンテナ１１０により受信すると、その受信電力を変復調部１０９が検出する。これにより、ＣＰＵ１０１は、変復調部１０９及びシステムバス１１２を介して、受信データの有無を確認することができる。
【００９０】
ＳＴＥＰ８０２で、他の無線通信装置から送信されるデータの受信を確認すると（Ｙｅｓ）、変復調部１０９で復調されたデータをデータ監視部１０８で解析することで、ＢＳＳ１への参加を許可したＱＳＴＡ３であるか否かが確認される（ＳＴＥＰ８０３）。このとき、データ監視部１０８では、受信データのＡｄｄｒｅｓｓ２フィールド５０３よりＭＡＣアドレスを確認して、ＱＳＴＡ３を特定する。そして、メモリ１０２内の管理テーブルを参照して、ＡＳＳＯＣＩＡＴＩＯＮ処理を行ったＱＳＴＡ３であり、メモリ１０２内の管理テーブルに記憶させて管理しているか否かを確認する。
【００９１】
この確認動作において、特定したＱＳＴＡ３に関する情報がメモリ１０２内の管理テーブルに記憶されず、ＢＳＳ１への参加が許可されていないことを認識すると（ＳＴＥＰ８０３でＮｏ）、無線通信制御部１０５に対してＤＥＡＵＴＨＥＮＴＩＣＡＴＩＯＮ処理を行うように指示し、ＤＥＡＵＴＨＥＮＴＩＣＡＴＩＯＮ処理が成される（ＳＴＥＰ８０４）。
【００９２】
即ち、データ監視部１０８において、受信したデータを送信しているＱＳＴＡ３は、ＱＡＰ２０１が形成するＢＳＳ１に参加していないにも係らず、データ送信を行っている状況であり、許可外のデータ送信を行っているものとみなし、その旨を無線通信制御部１０５に通知する。よって、無線通信制御部１０５では、修正指示パケット通知部１０７において、上述のフレームフォーマットに応じたＤＥＡＵＴＨＥＮＴＩＣＡＴＩＯＮフレームを作成し、変復調部１０９に与える。そして、変復調部１０９でＤＥＡＵＴＨＥＮＴＩＣＡＴＩＯＮフレームを変調した後、アンテナ１１０よりＳＴＥＰ８０３で確認したＱＳＴＡ３に送信する。その後、ＳＴＥＰ８０１に移行して、ＢＳＳ１内で通信されるデータの監視を続ける。
【００９３】
このＤＥＡＵＴＨＥＮＴＩＣＡＴＩＯＮフレームについて、簡単に以下に説明する。修正指示パケット通知部１０７で生成されるＤＥＡＵＴＨＥＮＴＩＣＡＴＩＯＮフレームは、Ａｄｄｒｅｓｓ１フィールド５０２がＳＴＥＰ８０３で確認したＱＳＴＡ３のＭＡＣアドレスによって成り、Ａｄｄｒｅｓｓ２フィールド５０３が自局のＭＡＣアドレスによって成る。又、ＱＳＴＡ３へのＤＥＡＵＴＨＥＮＴＩＣＡＴＩＯＮフレームであることを示すため、Ｆｒａｍｅ＿Ｃｏｎｔｒｏｌ５０１フィールドのＴｙｐｅ５１１とＳｕｂｔｙｐｅ５１２の組み合わせ「（ｂ３、ｂ２）、（ｂ７、ｂ６、ｂ５、ｂ４）」を「（０、０）、（１、１、０、０）」とする。更に、Ｆｒａｍｅ＿Ｂｏｄｙフィールド５０５については、図９に示すように、ＤＥＡＵＴＨＥＮＴＩＣＡＴＩＯＮ処理した理由を示すサブフィールドＲｅａｓｏｎ＿Ｃｏｄｅ９０１のみによって構成される。
【００９４】
又、ＳＴＥＰ８０３で特定したＱＳＴＡ３に関する情報がメモリ１０２内の管理テーブルに記憶されていることを確認したとき（ＳＴＥＰ８０３でＹｅｓ）、データ監視部１０８において、ＡＤＤＴＳ管理状態で管理されているか否かが確認される（ＳＴＥＰ８０５）。このとき、受信したデータのＡｄｄｒｅｓｓ１フィールド５０２とＡｄｄｒｅｓｓ２フィールド５０３とから、送信先及び送信元のＭＡＣアドレスを確認し、データの伝送路としてアップリンク２０１及びダイレクトリンク２０３のいずれが利用されているか確認する。尚、データの伝送路に関する情報を、「リンク情報」と呼ぶ。更に、Ａｄｄｒｅｓｓ２フィールド５０３で送信元となるＱＳＴＡ３を特定するとともに、ＱｏＳ＿Ｃｏｎｔｒｏｌフィールド５０４のＴＩＤ５４１によって、データの特定を行う。そして、メモリ１０２内の管理テーブルを参照し、上述のように確認したリンク情報と、送信元となるＱＳＴＡ３と、ＴＩＤ５４１とによって特定されているデータが、ＡＤＤＴＳ管理状態で管理されているか否かが確認される。これにより、受信したデータが、自局においてＡＤＤＴＳ処理の情報を管理しているＥＤＣＡのデータであるか否かが確認される。
【００９５】
このとき、メモリ１０２内の管理テーブルに情報が記憶されず、ＡＤＤＴＳ管理状態でないデータであることを確認すると（ＳＴＥＰ８０５でＮｏ）、無線通信制御部１０５に対してＤＥＬＴＳ処理を行うように指示し、ＤＥＬＴＳ処理が成される（ＳＴＥＰ８０６）。即ち、データ監視部１０８において、ＱＳＴＡ３が、ＱＡＰ２として動作する自局との間でＡＤＤＴＳ処理によるパケット送信に係るパラメータの折衝を行っていないにも係らず、データ送信を行っている状況であり、許可外のデータ送信を行っているとみなし、その旨を修正指示パケット通知部１０７に通知する。
【００９６】
よって、無線通信制御部１０５では、修正指示パケット通知部１０７において、上述のフレームフォーマットに応じたＤＥＬＴＳフレームを作成し、変復調部１０９に与える。そして、変復調部１０９でＤＥＬＴＳフレームを変調した後、アンテナ１１０よりＳＴＥＰ８０３で確認したＱＳＴＡ３に送信する。その後、ＳＴＥＰ８０１に移行して、ＢＳＳ１内で通信されるデータの監視を続ける。
【００９７】
このＤＥＬＴＳフレームについて、簡単に以下に説明する。修正指示パケット通知部１０７では、Ａｄｄｒｅｓｓ１フィールド５０２をＳＴＥＰ８０３で確認したＱＳＴＡ３のＭＡＣアドレスによって構成し、Ａｄｄｒｅｓｓ２フィールド５０３を自局のＭＡＣアドレスによって構成する。又、ＱＳＴＡ３へのＡｃｔｉｏｎフレーム（ＤＥＬＴＳフレーム）であることを示すため、Ｆｒａｍｅ＿Ｃｏｎｔｒｏｌ５０１フィールドのＴｙｐｅ５１１とＳｕｂｔｙｐｅ５１２の組み合わせ「（ｂ３、ｂ２）、（ｂ７、ｂ６、ｂ５、ｂ４）」を「（０、０）、（１、１、０、１）」とする。
【００９８】
このＤＥＬＴＳフレームのＦｒａｍｅ＿Ｂｏｄｙフィールド５０５は、図１０に示すように、Ｃａｔｅｇｏｒｙ１００１、Ａｃｔｉｏｎ１００２、ＴＳＩｎｆｏ１００３、Ｒｅａｓｏｎ＿Ｃｏｄｅ１００４のサブフィールドから構成される。このように構成されるＦｒａｍｅ＿Ｂｏｄｙフィールド５０５において、Ｃａｔｅｇｏｒｙ１００１及びＡｃｔｉｏｎ１００２それぞれの値が１及び２とされ、この値の組み合わせによりＤＥＬＴＳフレームであることを示す。又、ＴＳＩｎｆｏ１００３は、ＤＥＬＴＳ処理の対象のデータを示す情報が含まれており、その詳細な構成について後述する。更に、Ｒｅａｓｏｎ＿Ｃｏｄｅ１００４には、ＱＳＴＡ３に対してＤＥＬＴＳ処理を行う理由が含まれる。
【００９９】
上述のサブフィールドであるＴＳＩｎｆｏ１００３は、図１０に示すように、更に、ＤＥＬＴＳ処理対象のデータのＴＩＤを示すＴＳＩＤ１１０１と、ＤＥＬＴＳ処理対象のデータの伝送路（リンク情報）であるＤｉｒｅｃｔｉｏｎ１１０２と、を備える。即ち、修正指示パケット通知部１０７では、Ｆｒａｍｅ＿Ｂｏｄｙフィールド５０５におけるＴＳＩｎｆｏ１００３に対して、ＴＳＩＤ１１０１の値をＳＴＥＰ８０５で確認したＴＩＤ５４１と同じ値に設定し、Ｄｉｒｅｃｔｉｏｎ１１０２の値をＳＴＥＰ８０５で確認したリンク情報を示す値に設定する。
【０１００】
尚、ＴＳＩｎｆｏ１００３には、それ以外に、Ｔｒａｆｆｉｃ＿Ｔｙｐｅ、Ａｃｃｅｓｓ＿Ｐｏｌｉｃｙ、Ａｇｇｒｅｇａｔｉｏｎ、ＡＰＳＤ、Ｕｓｅｒ＿Ｐｒｉｏｒｉｔｙ、ＴＳＩｎｆｏ＿Ａｃｋ＿Ｐｏｌｉｃｙ、Ｓｃｈｅｄｕｌｅ、Ｒｅｓｅｒｖｅｄをサブフィールドとして備えるが、これらについてはＤＥＬＴＳ処理で利用されるものではないため、その値を０としても構わない。
【０１０１】
又、ＳＴＥＰ８０５の解析結果より、受信したデータの情報がメモリ１０２内の管理テーブルに記憶されて、ＡＤＤＴＳ管理状態とされているデータであることを確認すると（ＳＴＥＰ８０５でＹｅｓ）、データ監視部１０８において、受信したデータのデータレートが算出される（ＳＴＥＰ８０７）。具体的には、例えば、受信する度に受信時刻とデータ量とを記憶し、送信元となるＱＳＴＡ３とＴＩＤ５４１とが同じデータを前回に受信したときに記憶した受信時刻及びデータ量と、今回受信した受信時刻及びデータ量とに基づいて、受信したデータのデータレートを算出するようにしても構わない。
【０１０２】
そして、データ監視部１０８は、メモリ１０２内の管理テーブルを参照して、ＳＴＥＰ８０７で検出したデータレートが、ＳＴＥＰ８０５の解析結果により確認されたデータに割り当てられた最大データレート以下であるか否かを確認する（ＳＴＥＰ８０８）。このとき、検出したデータレートが最大データレートより大きいことを確認すると（ＳＴＥＰ８０８でＮｏ）、ＡＤＤＴＳ管理での許可する範囲以上でのデータ送信を行っているとみなし、その旨を修正指示パケット通知部１０７に通知し、ＳＴＥＰ８０７におけるＤＥＬＴＳ処理を行う。即ち、受信したデータを送信しているＱＳＴＡ３がＱＡＰ２（自局）とＡＤＤＴＳ処理により折衝したパラメータ値とは異なるパラメータ値を用いてデータ送信を行っている状況であると判断し、現在送信しているデータに対するＤＥＬＴＳ処理が施される。
【０１０３】
又、ＳＴＥＰ８０８で検出したデータレートが最大データレート以下となる場合（ＳＴＥＰ８０８でＹｅｓ）、データ監視部１０８において、受信したデータに対する送信間隔時間が算出される（ＳＴＥＰ８０９）。具体的には、例えば、受信する度に受信時刻を記憶し、送信元となるＱＳＴＡ３とＴＩＤ５４１とが同じデータを前回に受信したときに記憶した受信時刻と、今回受信した受信時刻とに基づいて、受信したデータの送信間隔時間を算出するようにしても構わない。
【０１０４】
そして、データ監視部１０８は、メモリ１０２内の管理テーブルを参照して、ＳＴＥＰ８０９で検出した送信間隔時間が、ＳＴＥＰ８０５の解析結果により確認されたデータに割り当てられた送信間隔時間以上であるか否かを確認する（ＳＴＥＰ８１０）。このとき、検出した送信間隔時間が設定された送信間隔時間より短いことを確認すると（ＳＴＥＰ８１０でＮｏ）、ＳＴＥＰ８０８と同様、ＡＤＤＴＳ管理での許可する範囲以上でのデータ送信を行っているとみなし、その旨を修正指示パケット通知部１０７に通知し、ＳＴＥＰ８０６におけるＤＥＬＴＳ処理を行う。又、検出した送信間隔時間が設定された送信間隔時間以上となるとき（ＳＴＥＰ８１０でＹｅｓ）、ＡＤＤＴＳ管理範囲内でのデータ送信が正常に行われているものとみなし、ＳＴＥＰ８０１に移行して、ＢＳＳ１内で通信されるデータの監視を続ける。
【０１０５】
このように、データ監視部１０８によって、ＢＳＳ１内で通信されるデータが、ＢＳＳ１に参加許可されたＱＳＴＡ３から送信されたデータであるか、ＡＤＤＴＳ管理されているデータであるか、そして、ＡＤＤＴＳ管理範囲内で送信が行われているデータであるかが確認される。そして、ＢＳＳ１への参加が許可されていないＱＳＴＡ３から送信されている場合は、ＤＥＡＵＴＨＥＮＴＩＣＡＴＩＯＮ処理が成され、ＡＤＤＴＳ管理状態とされていないデータである場合や、ＡＤＤＴＳ管理範囲を超える送信処理がなされている場合は、ＤＥＬＴＳ処理が成される。
【０１０６】
よって、通信管理装置（ＱＡＰ２）となる無線通信装置１００から、許可外の送信をしている他の無線通信装置（ＱＳＴＡ３）に対して、データ送信動作の修正を指示することができる。これにより、修正指示パケット通知部１０７で作成されるフレームの内容によっては、データ送信動作の修正が指示された無線通信装置が制御信号を他局とやりとりして障害からの回復を図るという回復策を取ることができる。
【０１０７】
特に、ＩＥＥＥ８０２．１１ｅ規格及びＩＥＥＥ８０２．１１ｎ規格による通信システムにおいては、上述した構成とすれば、ＱＡＰ２によって、ＡＳＳＯＣＩＡＴＩＯＮ処理又はＡＤＤＴＳ処理の情報管理をしていないＱＳＴＡ３のデータ通信を監視することができる。そして、許可外のデータ通信を発見した場合は、許可外となるデータ通信のみをＤＥＬＴＳ処理により適切に停止させることができる。又、ＱＡＰ２からＡＤＤＴＳ管理状態でのデータ送信に係るパラメータの折衝が無効になったＱＳＴＡ３がデータ送信を行っている場合に、このＱＳＴＡ３に対して、データ送信動作の修正指示を通知することができる
【０１０８】
尚、図８のフローチャートに従って監視動作を行う際、ＳＴＥＰ８０７で検出されるデータレートや、ＳＴＥＰ８０９で検出される送信間隔時間については、精度の高い値をえるためには、一定時間データを監視する必要がある。よって、ＳＴＥＰ８０７〜ＳＴＥＰ８１０については、一定時間が経過してデータ監視部１０８において精度の高いデータレートや送信間隔時間が取得された後に、実行することが好ましい。
【０１０９】
又、ＳＴＥＰ８０４でのＤＥＡＵＴＨＥＮＴＩＣＡＴＩＯＮ処理やＳＴＥＰ８０６でのＤＥＬＴＳ処理を行ったとき、既に各処理の対象とされたＱＳＴＡ３及びＱＳＴＡ３の送信するデータをメモリ１０２などに記憶して、データ監視部１０８により更に監視するものとしても構わない。
【０１１０】
このとき、既にＤＥＡＵＴＨＥＮＴＩＣＡＴＩＯＮ処理やＤＥＬＴＳ処理の対象とされたデータの送信が停止されていないこと検知したとき、その対象とされたデータをパケット破棄部１０６においてすべて破棄するものとしても構わないし、再び、ＤＥＡＵＴＨＥＮＴＩＣＡＴＩＯＮフレーム又はＤＥＬＴＳフレームを送信して、ＤＥＡＵＴＨＥＮＴＩＣＡＴＩＯＮ処理又はＤＥＬＴＳ処理を施すものとしても構わない。更に、表示部１１１においてユーザに対してＱＳＴＡ３が故障している等の表示をするものとしても構わない。
【０１１１】
又、ＳＴＥＰ８０６でのＤＥＬＴＳ処理を行ったとき、このＤＥＬＴＳ処理の対象とされたデータをメモリ１０２に記憶して、データ監視部１０８により更に監視するとともに、このＤＥＬＴＳ処理の対象とされたデータの送信が停止されていないことが検知されると、修正指示パケット通知部１０７がＤＥＡＵＴＨＥＮＴＩＣＡＴＩＯＮフレームを生成し、対象となるＱＳＴＡ３に通知するようにしても構わない。
【０１１２】
更に、本実施形態における無線通信装置１００がＱＡＰ２となって管理するＢＳＳ１内において、アクセス制御方式として、ＥＤＣＡ方式が用いられるものとしたが、ＨＣＣＡ方式が用いられるものとしても構わないし、ＨＣＣＡ方式とＥＤＣＡ方式とが混在したＨＥＭＭ方式としても構わない。即ち、いずれにおいても、ＡＳＳＯＣＩＡＴＩＯＮ処理が成されていないＱＳＴＡ３からの送信データが検出された場合は、ＤＥＡＵＴＨＥＮＴＩＣＡＴＩＯＮ処理が成される。又、ＡＤＤＴＳ処理が成されていないデータや許可範囲外となる送信条件となるデータが検出された場合は、ＤＥＬＴＳ処理又はＤＥＡＵＴＨＥＮＴＩＣＡＴＩＯＮ処理が成される。
【０１１３】
＜第２の実施形態＞
本発明の第２の実施形態について、図面を参照して説明する。図１１は、本実施形態の無線通信システムにおけるＱＡＰとして動作する通信管理装置の内部構成を示すブロック図である。又、図１１に示す構成において、図４に示す構成と同一の目的で使用する部分については、同一の符号を付してその詳細な説明は省略する。更に、本実施形態における無線通信システムで送受信されるデータのフレームフォーマットや無線通信装置の送受信動作は、第１の実施形態で説明したものと同様である。
【０１１４】
本実施形態の無線通信システムにおけるＱＡＰ２として動作する無線通信装置１００ａは、第１の実施形態の無線通信装置１００（図４参照）のように、自局が管理するＢＳＳ１内のデータを監視するのではなく、自局が管理するＢＳＳ１内のデータの混雑度を監視するための構成とされる。即ち、図１１に示す無線通信装置１００ａは、図４の無線通信装置１００におけるデータ監視部１０８の代わりに、ＢＳＳ１内のデータの混雑度を監視するために、ネットワーク混雑度測定部１２１と、判断部１２２と、ネットワーク混雑度予測部１２３と、推定部１２４と、を備える。
【０１１５】
この図１１に示す無線通信装置１００ａにおける無線通信装置１００と異なる部分について、以下に説明する。まず、ネットワーク混雑度測定部１２１は、アンテナ１１０でデータを受信するたびに、データを受信したことを示すデータ受信情報を受け取る。尚、このデータを受信したことを示すデータ受信情報として、例えば、通信混雑を確認するために利用されるＣＣＡ(Clear Channel Assessment)情報を用いてもよい。そして、所定の単位時間あたりにデータ受信情報を受け取った回数を計測することによって、自局が管理するＢＳＳ１の混雑度を測定し、この測定結果となる情報を実混雑度情報として判断部１２２へ通知する。
【０１１６】
又、ネットワーク混雑度予測部１２３は、システムバス１１２を介してメモリ１０２内に記憶した管理テーブルを読み出すことで、ＢＳＳ１内でＡＤＤＴＳ管理状態としたデータに関する情報を確認する。このようにして、自局が管理するＡＤＤＴＳ管理状態としたデータに関する情報を確認することで、自局が管理するＢＳＳ１における所定の単位時間あたりの混雑度を予測し、予測結果の情報を予測混雑度情報として判断部１２２へ通知する。
【０１１７】
又、判断部１２２は、上述したように、ネットワーク混雑度測定部１２１及びネットワーク混雑度予測部１２３それぞれから、実混雑度情報及び予測混雑度情報それぞれが通知される。この通知された実混雑度情報及び予測混雑度情報を比較し、実混雑度情報による混雑度が予測混雑度情報を上回っているか否かが確認される。そして、実混雑度情報による混雑度が予測混雑度情報を上回っていることを確認したとき、自局が管理しているＢＳＳ１内で通信されるデータが管理情報以上に混雑しているものと判断して、その旨を推定部１２４に通知する。
【０１１８】
又、推定部１２４は、判断部１２２からＢＳＳ１内で通信されるデータが管理情報以上に混雑していることが通知されると、システムバス１１２を介してメモリ１０２内に記憶した管理テーブルを読み出すことで、ＢＳＳ１内に参加しているＱＳＴＡ３に関する情報を確認する。このとき、ＡＳＳＯＣＩＡＴＩＯＮ処理が行われて、自局の管理するＢＳＳ１内への参加が許可されたＱＳＴＡ３において、ＡＤＤＴＳ処理が成されていないものが検索される。そして、ＡＤＤＴＳ処理が成されていないＱＳＴＡ３を検出すると、検出したＱＳＴＡ３がＡＤＤＴＳ管理状態でないデータの送信を行っているものと推定し、その旨を無線通信制御部１０５内の修正指示パケット通知部１０７に通知する。
【０１１９】
このように構成される無線通信装置１００ａがＱＡＰ２として動作するＢＳＳ１では、アクセス制御方式として、ＥＤＣＡ方式が利用されるものとしても構わないし、ＥＤＣＡ方式とＨＣＣＡ方式とが混在したＨＥＭＭ方式が利用されるものとしても構わない。そして、ＥＤＣＡ方式が利用される場合は、常にデータの混雑度が監視され、ＨＥＭＭ方式が利用される場合は、ＥＤＣＡ方式に割り当てられた期間においてデータの混雑度が監視される。
【０１２０】
（ＢＳＳ内の混雑度監視動作）
更に、ＱＡＰ２として動作する無線通信装置１００ａが管理するＢＳＳ１内で通信されているデータの混雑度の監視動作について、図１２のフローチャートを参照して説明する。即ち、以下では、アップリンク２０１及びダイレクトリンク２０３を用いたデータ通信において、ＱＡＰ２として動作する無線通信装置１００ａが、ＥＤＣＡ方式によるアクセス制御方式が行われている期間に、ＢＳＳ１内のデータの混雑度について監視する。このときの無線通信装置１００ａの動作の詳細について、説明する。
【０１２１】
ＱＡＰ２として動作する無線通信装置１００ａは、図１２に示すように、自局が管理するＢＳＳ１が形成された状態となると、ＢＳＳ１内で伝送されるデータの監視動作が開始される（ＳＴＥＰ１２０１）。そして、ＣＰＵ１０１によってアクセス制御方式としてＥＤＣＡ方式が許可された期間であるか否かが確認される（ＳＴＥＰ１２０２）。このとき、アクセス制御方式としてＥＤＣＡ方式が許可された期間であることが確認されると（ＳＴＥＰ１２０２でＹｅｓ）、その旨がネットワーク混雑度測定部１２１に通知されて、ＢＳＳ１内のデータの混雑度が測定される（ＳＴＥＰ１２０３）。即ち、ネットワーク混雑度測定部１２１がアンテナ１１０でのデータの受信を検知し、単位時間あたりの受信頻度を測定し、その測定結果によりＢＳＳ１の実混雑度情報を取得する。
【０１２２】
又、ネットワーク混雑度予測部１２３は、自局で管理するＢＳＳ１内でＡＤＤＴＳ管理状態とされるＥＤＣＡ方式のデータに関する情報から、単位時間あたりの混雑度を予測し、その結果としてネットワークの予測混雑度情報を取得する（ＳＴＥＰ１２０４）。このとき、例えば、メモリ１０２内の管理テーブルを参照することで、ＡＤＤＴＳ管理状態されるＥＤＣＡ方式のデータについて、その平均データレートを確認することで、予測混雑度情報を算出するものとしても構わない。即ち、ＡＤＤＴＳ管理状態されるＥＤＣＡ方式の全データそれぞれの平均データレートを合計した合計平均データレートを算出し、この合計平均データレートを予測混雑度情報とするものとしても構わない。
【０１２３】
その後、ＳＴＥＰ１２０３で取得された実混雑度情報がネットワーク混雑度測定部１２１より判断部１２２に通知されるとともに、ＳＴＥＰ１２０４で取得された予測混雑度情報がネットワーク混雑度予測部１２３より判断部１２２に通知されると、実混雑度情報及び予測混雑度情報の比較を行うことで、混雑しているか否かが確認される（ＳＴＥＰ１２０５）。即ち、判断部１２２において、通知された実混雑度情報と予測混雑度情報との比較が行われ、実混雑度情報による混雑度が、予測混雑度情報に比べて高いか否かが確認される。
【０１２４】
このとき、実混雑度情報の方が予測混雑度情報よりも、その混雑度が低いことが確認されると（ＳＴＥＰ１２０５でＮｏ）、自局の管理するＢＳＳ１内でのデータ通信に混雑が生じていないものと判断し、ＳＴＥＰ１２０１に移行して、ＢＳＳ１内で通信されるデータの混雑度について監視を続ける。
【０１２５】
又、実混雑度情報の方が予測混雑度情報よりも、その混雑度が高いことが確認されると（ＳＴＥＰ１２０５でＹｅｓ）、自局の管理するＢＳＳ１内でのデータ通信に混雑が生じているものと判断し、その旨を推定部１２４に通知する。推定部１２４では、ＢＳＳ１内に参加を許可しているがＡＤＤＴＳ処理を行っていないＱＳＴＡ３の検索を行い、ＡＤＤＴＳ管理状態とされる送信データのないＱＳＴＡ３が、自局が管理するＢＳＳ１に参加しているか否かを確認する（ＳＴＥＰ１２０６）。このとき、推定部１２４では、シリアルバス１１２を介してメモリ１０２内の管理テーブルを参照し、ＡＳＳＯＣＩＡＴＩＯＮ処理によりＢＳＳ１内への参加を許可したＱＳＴＡ３を確認する。そして、ＢＳＳ１内への参加を許可したＱＳＴＡ３のうち、ＡＤＤＴＳ管理状態とされてその情報が管理テーブルで管理された送信データのないＱＳＴＡ３が検索される。
【０１２６】
そして、自局が管理するＢＳＳ１に参加しているＱＳＴＡ３全てが、送信するデータに対するＡＤＤＴＳ処理を行っている場合（ＳＴＥＰ１２０６でＮｏ）、自局の管理するＢＳＳ１への参加を許可しているＱＳＴＡ３の送信するデータによって、データ通信の混雑が生じていないものと判断し、ＳＴＥＰ１２０１に移行して、ＢＳＳ１内で通信されるデータの混雑度について監視を続ける。
【０１２７】
又、ＡＤＤＴＳ管理状態とされる送信データのないＱＳＴＡ３が自局の管理するＢＳＳ１内に参加許可していることを確認したとき（ＳＴＥＰ１２０６でＹｅｓ）、無線通信制御部１０５に対してＤＥＡＵＴＨＥＮＴＩＣＡＴＩＯＮ処理を行うように通知する（ＳＴＥＰ１２０７）。即ち、推定部１２４において、ＡＤＤＴＳ処理を行っていないことを確認したＱＳＴＡ３によるデータ送信が、ＢＳＳ１内のデータ通信における混雑の原因となっているものと推定される。よって、その旨が通知された無線通信制御部１０５では、修正指示パケット通知部１０７によって、ＡＤＤＴＳ管理状態とされるデータの送信を行っていないＱＳＴＡ３に対して、自局が管理するＢＳＳ１より離脱させるためのＤＥＡＵＴＨＥＮＴＩＣＡＴＩＯＮ処理を施す。その後、ＳＴＥＰ１２０１に移行して、ＢＳＳ１内で通信されるデータの混雑度について監視を続ける。
【０１２８】
尚、ＳＴＥＰ１２０７でＤＥＡＵＴＨＥＮＴＩＣＡＴＩＯＮ処理が成されるとき、修正指示パケット通知部１０７によってＤＥＡＵＴＨＥＮＴＩＣＡＴＩＯＮフレームが生成される。即ち、推定部１２４で確認されたＱＳＴＡ３のＭＡＣアドレスがメモリ１０２の管理テーブルより読み出されて、Ａｄｄｒｅｓｓ１フィールド５０２の値とされるとともに、自局のＭＡＣアドレスがＡｄｄｒｅｓｓ２フィールド５０２の値とされる。又、ＱＳＴＡ３へのＤＥＡＵＴＨＥＮＴＩＣＡＴＩＯＮフレームであることを示すため、Ｆｒａｍｅ＿Ｃｏｎｔｒｏｌ５０１フィールドのＴｙｐｅ５１１とＳｕｂｔｙｐｅ５１２の組み合わせ「（ｂ３、ｂ２）、（ｂ７、ｂ６、ｂ５、ｂ４）」を「（０、０）、（１、１、０、０）」とする。
【０１２９】
このように動作することで、第１の実施形態における無線通信装置１００（図４参照）のデータ監視部１０８を実装し、ＢＳＳ１内を通信されるデータの解析を行うことなく、ＢＳＳ１内のデータ通信の混雑度を確認し、ＡＤＤＴＳ管理状態となるデータの送信を行っていないＱＳＴＡ３を検索する。これにより、ＡＤＤＴＳ管理状態となるデータの送信を行っていないＱＳＴＡ３を、ＢＳＳ１内での通信を妨げとなるデータの送信を行っているＱＳＴＡ３と推定することができる。よって、第１の実施形態の監視方法よりも簡易な方法によって、ＢＳＳ１内を伝送されるデータの監視を行うことができる。
【０１３０】
尚、上述のようにＢＳＳ１内におけるデータ通信の混雑度を監視する場合、一定時間、アンテナ１１０がデータを受信したことを検知した方が、ネットワーク混雑度測定部１２１で測定される実混雑度情報を高精度の値とすることができる。よって、図１２のフローチャートによる監視動作を行う際、ＳＴＥＰ１２０３において、ネットワーク混雑度測定部１２１による一定時間の測定動作が行うことが好ましい。このようにすることで、ＳＴＥＰ１２０５において、判断部１２２では、高精度の実混雑度情報に基づいて、ＢＳＳ１内の混雑度を判断することができ、その判断結果の精度をも高くすることができる。
【０１３１】
又、本実施形態においても、図１３に示すように、第１の実施形態と同様、データ監視部１０８を備えるものとし、自局が管理しているＢＳＳ１内のデータを監視するものとしても構わない。このとき、データ監視部１０８を利用したデータの監視動作が図８のフローチャートに従って行われるとともに、ネットワーク混雑度測定部１２１、判断部１２２、ネットワーク混雑度予測部１２３、及び推定部１２４を利用したデータの監視動作が図１２のフローチャートに従って行われる。
【０１３２】
これにより、データ監視部１０８によって、ＢＳＳ１への参加を許可していないＱＳＴＡ３や、ＡＤＤＴＳ管理状態でないデータを送信しているＱＳＴＡ３が検出され、推定部１２４によって、ＢＳＳ１内の混雑度が高いときに、ＢＳＳ１へ参加しているがＡＤＤＴＳ処理を行っていないＱＳＴＡ３が検出される。このとき、データ監視部１０８による図８のフローチャートに従った監視動作については、アクセス制御方式がＨＣＣＡ方式とするデータについても監視が行われる。
【０１３３】
更に、図１３に示すように、データ監視部１０８を備える場合において、上述のように、図８及び図１２のフローチャートに従う監視動作をそれぞれ行うようにしても構わないが、図１２のフローチャートにおいて、推定部１２４によって、ＢＳＳ１へ参加しているがＡＤＤＴＳ処理を行っていないＱＳＴＡ３が検出されなかったとき（ＳＴＥＰ１２０６でＮｏ）、図８のフローチャートに従う監視動作を行うようにしても構わない。
【０１３４】
即ち、自局の管理しているＢＳＳ１内において、データがＡＤＤＴＳ管理状態のデータに基づく予測値よりも混雑していることが確認されたとき、まず、ＡＤＤＴＳ処理を行っていないＱＳＴＡ３の検索がなされる（ＳＴＥＰ１２０６）。そして、ＢＳＳ１に参加しているＱＳＴＡ３全てがＡＤＤＴＳ処理を行っていることを確認すると（ＳＴＥＰ１２０６でＮｏ）、図８のフローチャートに従って、ＢＳＳ１内への参加が許可されていないＱＳＴＡ３や、ＡＤＤＴＳ管理状態でないデータを送信するＱＳＴＡ３が検出される。尚、アクセス制御方式がＨＣＣＡ方式とするデータが送信される期間においては、データ監視部１０８による図８のフローチャートに従った監視動作のみが行われるものとしても構わない。
【０１３５】
尚、上述のように、本発明の第１及び第２の実施形態に係る無線通信装置は、ＩＥＥＥ８０２．１１ｅ規格及びＩＥＥＥ８０２．１１ｎ規格における通信管理装置であるＱＡＰであり、ＱＡＰでの動作範囲においての実施例を記載したが、本発明の通信管理装置は、このＱＡＰにのみ限定されるものではなく、他の一般的な通信方法において、通信管理装置として動作したときにおいても適応可能である。又、本発明の内容は、無線通信のみに限らず、ＰＬＣ（Power Line Communication）等の有線通信においても適用可能である。
【０１３６】
即ち、例えば、図８のＳＴＥＰ８０４や図１２のＳＴＥＰ１２０７におけるＤＥＡＵＴＨＥＮＴＩＣＡＴＩＯＮフレームの通知、及び、図８のＳＴＥＰ８０６におけるＤＥＬＴＳフレームの通知の代わりに、通信管理装置が管理しているネットワークからの離脱指示パケットの通知、及び、データ送信停止指示パケットの通知を行うことで、他の一般的な通信方法においても適用可能である。又、これらのデータ送信動作に対する修正指示が段階的に行われるようにしても構わない。即ち、通信管理装置が管理しているネットワークに参加している無線通信装置に対して指示する修正内容を含めた修正指示パケットを複数回に分けて通知し、対象となるデータ送信動作を段階的に修正するように通知するようにしても構わない。
【０１３７】
このように動作することで、通信管理装置からの修正指示パケットを受信した通信装置は、例えば、ＩＰ（Internet Protocol）実装ブロックにおけるタイムアウト値や再送可能回数などのような、データ送信に制限を与えるパラメータを段階的に変更することが可能となる。即ち、パラメータを段階的に変更することで、送信動作を段階的に制限することができ、上述の各実施形態のように、ＤＥＡＵＴＨＥＮＴＩＣＡＴＩＯＮフレームやＤＥＬＴＳフレーム等が送信されて、データ送信の停止が指示された場合に比べて、自装置内の他のブロックへの影響を減少させることが可能となる。
【０１３８】
又、上述の各実施形態において、それぞれの実施形態で特徴となるデータの監視動作を行う機能を、通信管理装置となる無線通信装置１００，１００ａが備えるものとして説明したが、それぞれの実施形態で特徴となるデータの監視動作を行う機能を実現させるソフトウェアが、そのプログラムコードを記録した記憶媒体（主記憶または外部記憶等）から読み出されるものとしても構わない。このとき、コンピュータが、このソフトウェアのプログラムコードを実行することで、通信管理装置として各監視動作を行う。
【０１３９】
尚、このソフトウェアのプログラムコードを供給するための記憶媒体としては、例えば、フロッピディスク、ハードディスク、光ディスク、光磁気ディスク、磁気テープ、不揮発性のメモリカード、等を用いることができる。又、このソフトウェアのプログラムコードは、通信ネットワークのような伝送媒体を介して、他のコンピュータシステムから記憶媒体等へダウンロードされるものであっても構わない。
【０１４０】
尚、上述のソフトウェアのプログラムコードを、通信管理装置として動作するコンピュータが実行することにより、上述の各実施形態における機能が実現されるだけでなく、そのプログラムコードの指示に基づき、コンピュータ上で稼働しているＯＳ（オペレーティングシステム）などが実際の処理の一部又は全部を行い、その処理によって上述した実施形態の機能が実現される場合も含まれることは言うまでもない。
【０１４１】
又、記憶媒体から読み出された上述のソフトウェアのプログラムコードが、通信管理装置として動作するコンピュータに挿入された機能拡張ボードや接続された機能拡張ユニットに備わるメモリに書き込まれるものとしても構わない。このとき、メモリに書き込まれたプログラムコードの指示に基づき、その機能拡張ボードや機能拡張ユニットに備わるＣＰＵなどが実際の処理の一部または全部を行い、その処理によって前述した実施形態の機能が実現されることとなる。
【産業上の利用可能性】
【０１４２】
本発明は、有線又は無線に限らず、複数の通信装置によって構成されるネットワーク内のデータ通信を通信装置の１つが通信管理装置として管理する通信システムにおいて、適用することができる。又、この通信システムにおいて、ネットワーク内の通信装置から通信管理装置へＡＤＤＴＳ処理で代表されるデータ毎の管理要求が行われる通信システムに対して、適用することができる。又、このような通信システムとして、例えば、ＩＥＥＥ８０２．１１規格で標準化された無線ＬＡＮなどが挙げられるが、これに限らず、有線によるネットワークであっても構わない。
【図面の簡単な説明】
【０１４３】
【図１】は、本発明の無線通信システムの構成を示すブロック図である。
【図２】は、図１に無線通信システムにおけるアップリンクによるデータ通信動作を示すタイミングチャートである。
【図３】は、図１に無線通信システムにおけるダイレクトリンクによるデータ通信動作を示すタイミングチャートである。
【図４】は、第１の実施形態の無線通信システムにおけるＱＡＰとして動作する通信管理装置の内部構成を示すブロック図である。
【図５】は、ＩＥＥＥ８０２．１１ｅ規格及びＩＥＥＥ８０２．１１ｎ規格によるフレームフォーマットを示す図である。
【図６】は、本発明におけるフレームフォーマットの概略構成を示す図である。
【図７】は、メモリ内に記録される管理テーブルの構成を示す図である。
【図８】は、図４の無線通信装置によるデータの監視動作を示すフローチャートである。
【図９】は、ＤＥＡＵＴＨＥＮＴＩＣＡＴＩＯＮフレームのＦｒａｍｅ＿Ｂｏｄｙフィールドの構成を示す図である。
【図１０】は、ＤＥＬＴＳフレームのＦｒａｍｅ＿Ｂｏｄｙフィールドの構成を示す図である。
【図１１】は、第２の実施形態の無線通信システムにおけるＱＡＰとして動作する通信管理装置の内部構成を示すブロック図である。
【図１２】は、図１１の無線通信装置によるデータの監視動作を示すフローチャートである。
【図１３】は、第１及び第２の実施形態の監視動作を機能として備える無線通信装置の構成を示すブロック図である。
【符号の説明】
【０１４４】
１    ＢＳＳ
２    ＱＡＰ
３    ＱＳＴＡ
１００    無線通信装置
１０１    ＣＰＵ
１０２    メモリ
１０３    送信データバッファ
１０４    受信データバッファ
１０５    無線通信制御部
１０６    パケット破棄部
１０７    修正指示パケット通知部
１０８    データ監視部
１０９    変復調部
１１０    アンテナ
１１１    表示部
１１２    システムバス
１２１    ネットワーク混雑度測定部
１２２    判断部
１２３    ネットワーク混雑度予測部
１２４    推定部
【図１】
2008205875.tif 000003
【図２】
2008205875.tif 000004
【図３】
2008205875.tif 000005
【図４】
2008205875.tif 000006
【図５】
2008205875.tif 000007
【図６】
2008205875.tif 000008
【図７】
2008205875.tif 000009
【図８】
2008205875.tif 000010
【図９】
2008205875.tif 000011
【図１０】
2008205875.tif 000012
【図１１】
2008205875.tif 000013
【図１２】
2008205875.tif 000014
【図１３】
2008205875.tif 000015